(57)【要約】【課題】  店舗が更新機を設置する設置コストを負担することなく、店舗到着から特定取引までの時間を短縮できるようにすること。【解決手段】  店舗識別情報に対応付けて当該店舗における予め定められた特定取引に使用可能な特定取引用価値の大きさを記憶するための特定取引用価値記憶部１０４と、該特定取引を行うた特定取引装置３から該装置が設置されている店舗の店舗識別情報を取得し、該店舗識別情報の取得に応じて該装置における特定取引に使用される特定取引用価値の大きさを前記特定取引用価値記憶部に記憶されている特定取引用価値の大きさから減算し、前記特定取引用価値記憶部１０４に記憶されている複数の店舗識別情報のうちの１の店舗識別情報に対応付けて記憶されている特定取引用価値から所定の大きさの特定取引用価値を減算し、該所定の大きさの特定取引用価値を、他の店舗識別情報に対応付けて記憶されている特定取引用価値の大きさに加算する処理を実施するプログラム実行部５５を備える。【選択図】  図１４
2006204812.tif 000002
【特許請求の範囲】
【請求項１】
複数の店舗について、各店舗を個々に識別可能な店舗識別情報に対応付けて、当該店舗における予め定められた特定取引に使用可能な特定取引用価値の大きさを記憶するための特定取引用価値記憶部と、
前記特定取引を行うために各店舗に設置された特定取引装置から当該特定取引装置が設置されている店舗の店舗識別情報を取得する店舗識別情報取得処理と、少なくとも該店舗識別情報を取得したことに応じて該特定取引装置における特定取引に使用される特定取引用価値の大きさを前記取得した店舗識別情報に対応付けて前記特定取引用価値記憶部に記憶されている特定取引用価値の大きさから減算する減算処理と、前記特定取引用価値記憶部に記憶されている複数の店舗識別情報のうちの１の店舗識別情報に対応付けて記憶されている特定取引用価値の大きさの範囲内の所定の大きさの特定取引用価値を減算するとともに、該所定の大きさの特定取引用価値を、他の店舗識別情報に対応付けて前記特定取引用価値記憶部に記憶されている特定取引用価値の大きさに加算する特定取引用価値移動処理と、
をアプリケーションプログラムに基づいて実行するプログラム実行部と、
を備えることを特徴とする携帯端末装置。
【請求項２】
前記プログラム実行部は、前記アプリケーションプログラムに基づいて、各店舗の店舗識別情報を含む店舗情報を管理する店舗情報管理装置から前記特定取引用価値を記憶可能な店舗の一覧情報を取得する一覧情報取得処理と、該取得した一覧情報に含まれる店舗のうち、前記特定取引用価値の記憶対象とする店舗の指定を利用者から受付ける利用店舗受付け処理と、該指定を受付けた店舗の店舗識別情報を前記店舗情報管理装置から取得する利用店舗識別情報取得処理と、該取得した店舗識別情報に対応付けて前記特定取引用価値の大きさを記憶するための記憶領域を前記特定取引用価値記憶部に設定する利用店舗設定処理とを、さらに実施することを特徴とする請求項１に記載の携帯端末装置。
【請求項３】
前記プログラム実行部は、前記アプリケーションプログラムに基づいて、各店舗の店舗識別情報を含む店舗情報を管理する店舗情報管理装置から前記特定取引用価値を記憶可能な店舗の店舗識別情報を含む一覧情報を取得する一覧情報取得処理と、該取得した一覧情報に含まれる店舗のうち、前記特定取引用価値の記憶対象とする店舗の指定を利用者から受付ける利用店舗受付け処理と、前記取得した一覧情報取に含まれる該指定を受付けた店舗の店舗識別情報に対応付けて前記特定取引用価値の大きさを記憶するための記憶領域を前記特定取引用価値記憶部に設定する利用店舗設定処理とを、さらに実施することを特徴とする請求項１に記載の携帯端末装置。
【請求項４】
各携帯端末装置に固有に付与された携帯端末識別情報に対応付けて、当該携帯端末識別情報の携帯端末装置において対応付けて記憶されている店舗識別情報および特定取引用価値の大きさを管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記特定取引用価値移動処理後の新たな特定取引用価値の大きさを含む更新情報を送信する中央管理装置とデータ通信可能とされるとともに、前記携帯端末識別情報を記憶するための携帯端末識別情報記憶部を備え、
前記プログラム実行部は、前記アプリケーションプログラムに基づいて、前記携帯端末識別情報記憶部に記憶されている携帯端末識別情報と、前記特定取引用価値移動処理における他の店舗識別情報とを少なくとも含む移動通知を前記中央管理装置に対して送信する移動通知送信処理を、さらに実施することを特徴とする請求項１〜３のいずれかに記載の携帯端末装置。
【請求項５】
店舗における予め定められた特定取引に使用可能な特定取引用価値の大きさと、該店舗において当該特定取引用価値を照合するための照合情報とを対応付けて記憶するための特定取引用価値記憶部と、
前記特定取引用価値記憶部に記憶されている照合情報を含む照合要求を、前記特定取引を行うために前記店舗に設置された特定取引装置に送信する照合要求送信処理と、該送信した照合要求に対して前記特定取引装置から受信した照合結果が正規であることに応じて該特定取引装置における特定取引に使用される特定取引用価値の大きさを前記特定取引用価値記憶部に記憶されている特定取引用価値の大きさから減算する減算処理と、前記特定取引用価値を使用する使用店舗の指定を受付ける使用店舗受付け処理と、前記特定取引用価値記憶部に記憶されている照合情報を前記指定を受付けた使用店舗の照合情報に更新する更新処理とをアプリケーションプログラムに基づいて実行するプログラム実行部と、
を備えることを特徴とする携帯端末装置。
【請求項６】
前記プログラム実行部は、前記アプリケーションプログラムに基づいて、各店舗の照合情報を含む店舗情報を管理する店舗情報管理装置から前記特定取引用価値を使用可能な店舗の一覧情報を取得する一覧情報取得処理を実施し、前記使用店舗受付け処理において該取得した一覧情報に含まれる店舗のうちから前記使用店舗の指定を利用者から受付け、該受付けた店舗の照合情報を前記店舗情報管理装置から取得する利用店舗照合情報取得処理をさらに実施するとともに、前記更新処理においては該利用店舗照合情報取得処理にて取得した照合情報に更新することを特徴とする請求項５に記載の携帯端末装置。
【請求項７】
前記プログラム実行部は、前記アプリケーションプログラムに基づいて、各店舗の照合情報を含む店舗情報を管理する店舗情報管理装置から前記特定取引用価値を使用可能な店舗の照合情報を含む一覧情報を取得する一覧情報取得処理を実施し、前記使用店舗受付け処理において該取得した一覧情報に含まれる店舗のうちから前記使用店舗の指定を利用者から受付け、前記更新処理においては前記一覧情報取得処理にて取得した一覧情報に含まれる該指定を受付けた店舗の照合情報に更新することを特徴とする請求項５に記載の携帯端末装置。
【請求項８】
各携帯端末装置に固有に付与された携帯端末識別情報に対応付けて、当該携帯端末識別情報の携帯端末装置において対応付けて記憶されている特定取引用価値の大きさおよび照合情報に対応する店舗を個々に識別可能な店舗識別情報を管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記更新処理後の新たな特定取引用価値の大きさを含む更新情報を送信する中央管理装置とデータ通信可能とされるとともに、前記携帯端末識別情報を記憶するための携帯端末識別情報記憶部を備え、
前記プログラム実行部は、前記アプリケーションプログラムに基づいて、前記携帯端末識別情報記憶部に記憶されている携帯端末識別情報と、前記更新処理において照合情報が更新された前記使用店舗受付け処理にて受付けた使用店舗の店舗識別情報とを少なくとも含む更新通知を前記中央管理装置に対して送信する更新通知送信処理を、さらに実施することを特徴とする請求項５〜７のいずれかに記載の携帯端末装置。
【請求項９】
複数の店舗について、各店舗を個々に識別可能な店舗識別情報に対応付けて、当該店舗における予め定められた特定取引に使用可能な特定取引用価値の大きさが記憶された携帯端末装置において実行され、該携帯端末装置に記憶されている特定取引用価値を前記特定取引に使用するためのアプリケーションプログラムであって、
前記特定取引を行うために各店舗に設置された特定取引装置から当該特定取引装置が設置されている店舗を個々に識別可能な店舗識別情報を取得する店舗識別情報取得ステップと、
少なくとも該店舗識別情報を取得したことに応じて該特定取引装置における特定取引に使用される特定取引用価値の大きさを前記取得した店舗識別情報に対応付けて該携帯端末装置に記憶されている特定取引用価値の大きさから減算する減算ステップと、
該携帯端末装置に記憶されている複数の店舗識別情報のうちの１の店舗識別情報に対応付けて記憶されている特定取引用価値の大きさの範囲内の所定の大きさの特定取引用価値を減算するとともに、該所定の大きさの特定取引用価値を、他の店舗識別情報に対応付けて該携帯端末装置に記憶されている特定取引用価値の大きさに加算する特定取引用価値移動ステップと、
を含むことを特徴とするアプリケーションプログラム。
【請求項１０】
各店舗の店舗識別情報を含む店舗情報を管理する店舗情報管理装置から前記特定取引用価値を記憶可能な店舗の一覧情報を取得する一覧情報取得ステップと、
該一覧情報取得ステップにて取得した一覧情報に含まれる店舗のうち、前記特定取引用価値の記憶対象とする店舗の指定を利用者から受付ける利用店舗受付けステップと、
該利用店舗受付けステップにて指定を受付けた店舗の店舗識別情報を前記店舗情報管理装置から取得する利用店舗識別情報取得ステップと、
該利用店舗識別情報取得ステップにて取得した店舗識別情報に対応付けて前記特定取引用価値の大きさを記憶するための記憶領域を該携帯端末装置に設定する利用店舗設定ステップと、
を含むことを特徴とする請求項９に記載のアプリケーションプログラム。
【請求項１１】
各店舗の店舗識別情報を含む店舗情報を管理する店舗情報管理装置から前記特定取引用価値を記憶可能な店舗の店舗識別情報を含む一覧情報を取得する一覧情報取得ステップと、
該一覧情報取得ステップにて取得した一覧情報に含まれる店舗のうち、前記特定取引用価値の記憶対象とする店舗の指定を利用者から受付ける利用店舗受付けステップと、
前記取得した一覧情報取に含まれる該指定を受付けた店舗の店舗識別情報に対応付けて前記特定取引用価値の大きさを記憶するための記憶領域を該携帯端末装置に設定する利用店舗設定ステップと、
を含むことを特徴とする請求項９に記載のアプリケーションプログラム。
【請求項１２】
各携帯端末装置に固有に付与された携帯端末識別情報に対応付けて、当該携帯端末識別情報の携帯端末装置において対応付けて記憶されている店舗識別情報および特定取引用価値の大きさを管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記特定取引用価値移動ステップ後の新たな特定取引用価値の大きさを含む更新情報を送信する中央管理装置に対し、該携帯端末装置に記憶されている携帯端末識別情報と、前記特定取引用価値移動ステップにおける他の店舗識別情報とを少なくとも含む移動通知を送信する移動通知送信ステップを含むことを特徴とする請求項９〜１１のいずれかに記載のアプリケーションプログラム。
【請求項１３】
店舗における予め定められた特定取引に使用可能な特定取引用価値の大きさと、該店舗において当該特定取引用価値を照合するための照合情報とが対応付けて記憶された携帯端末装置において実行され、該携帯端末装置に記憶されている特定取引用価値を前記特定取引に使用するためのアプリケーションプログラムであって、
該携帯端末装置に記憶されている照合情報を含む照合要求を、前記特定取引を行うために前記店舗に設置された特定取引装置に送信する照合要求送信ステップと、
該照合要求送信ステップにて送信した照合要求に対して前記特定取引装置から受信した照合結果が正規であることに応じて該特定取引装置における特定取引に使用される特定取引用価値の大きさを該携帯端末装置に記憶されている特定取引用価値の大きさから減算する減算ステップと、
前記特定取引用価値を使用する使用店舗の指定を受付ける使用店舗受付けステップと、
該携帯端末装置に記憶されている照合情報を該受付けた使用店舗の照合情報に更新する更新ステップと、
を含むことを特徴とするアプリケーションプログラム。
【請求項１４】
各店舗の照合情報を含む店舗情報を管理する店舗情報管理装置から前記特定取引用価値を使用可能な店舗の一覧情報を取得する一覧情報取得ステップと、
該取得した一覧情報に含まれる店舗のうちから、前記使用店舗受付けステップにおいて利用者から指定を受付けた前記使用店舗の照合情報を前記店舗情報管理装置から取得する利用店舗照合情報取得ステップと、
を含み、
前記更新ステップにおいては、前記利用店舗照合情報取得ステップにて取得した照合情報に更新することを特徴とする請求項１３に記載のアプリケーションプログラム。
【請求項１５】
各店舗の照合情報を含む店舗情報を管理する店舗情報管理装置から前記特定取引用価値を使用可能な店舗の照合情報を含む一覧情報を取得する一覧情報取得ステップを含み、
前記使用店舗受付けステップにおいては、該取得した一覧情報に含まれる店舗のうちから前記使用店舗の指定を利用者から受付け、
前記更新ステップにおいては、前記一覧情報取得処理にて取得した一覧情報取に含まれる該指定を受付けた店舗の照合情報に更新することを特徴とする請求項１３に記載のアプリケーションプログラム。
【請求項１６】
各携帯端末装置に固有に付与された携帯端末識別情報に対応付けて、当該携帯端末識別情報の携帯端末装置において対応付けて記憶されている特定取引用価値の大きさおよび照合情報に対応する店舗を個々に識別可能な店舗識別情報を管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記更新ステップ後の新たな特定取引用価値の大きさを含む更新情報を送信する中央管理装置に対し、該携帯端末装置に記憶されている携帯端末識別情報と、前記更新ステップにおいて照合情報が更新された前記使用店舗受付けステップにて受付けた使用店舗の店舗識別情報とを少なくとも含む更新通知を送信する更新通知送信ステップを含むことを特徴とする請求項１３〜１５のいずれかに記載のアプリケーションプログラム。
【請求項１７】
複数の店舗について、各店舗を個々に識別可能な店舗識別情報に対応付けて、当該店舗における予め定められた特定取引に使用可能な特定取引用価値の大きさを記憶するための特定取引用価値記憶部と、該携帯端末装置に固有に付与された携帯端末識別情報を記憶するための携帯端末識別情報記憶部とを備える携帯端末装置と、
各店舗に設置されて当該店舗において使用可能な特定取引用価値の大きさを該特定取引用価値の大きさが記憶された携帯端末装置の携帯端末識別情報に対応付けて管理する店舗内管理装置と、
前記店舗内管理装置並びに前記携帯端末装置とデータ通信可能とされ、前記携帯端末識別情報に対応付けて、当該携帯端末識別情報の携帯端末装置において対応付けて記憶されている店舗識別情報および特定取引用価値の大きさを管理する中央管理装置と、
から成る特定取引用システムであって、
前記携帯端末装置は、
前記特定取引を行うために各店舗に設置された特定取引装置から当該特定取引装置が設置されている店舗の店舗識別情報を取得する店舗識別情報取得処理と、少なくとも該店舗識別情報を取得したことに応じて該特定取引装置における特定取引に使用される特定取引用価値の大きさを前記取得した店舗識別情報に対応付けて前記特定取引用価値記憶部に記憶されている特定取引用価値の大きさから減算する減算処理と、前記特定取引用価値記憶部に記憶されている複数の店舗識別情報のうちの１の店舗識別情報に対応付けて記憶されている特定取引用価値の大きさの範囲内の所定の大きさの特定取引用価値を減算するとともに、該所定の大きさの特定取引用価値を、他の店舗識別情報に対応付けて前記特定取引用価値記憶部に記憶されている特定取引用価値の大きさに加算する特定取引用価値移動処理と、該特定取引用価値移動処理における他の店舗識別情報と前記携帯端末識別情報記憶部に記憶されている携帯端末識別情報とを少なくとも含む移動通知を前記中央管理装置に対して送信する移動通知送信処理と、をアプリケーションプログラムに基づいて実行するプログラム実行部と、
を備え、
前記中央管理装置は、前記移動通知の受信に基づいて、受信した移動通知に含まれる携帯端末識別情報に対応付けて管理している前記１の店舗識別情報に対応する特定取引用価値の大きさから前記所定の大きさの特定取引用価値を減算する一方、該所定の大きさの特定取引用価値を受信した移動通知に含まれる携帯端末識別情報並びに店舗識別情報に対応付けて管理している特定取引用価値の大きさに加算するともに、前記１の店舗識別情報の店舗に設置されている前記店舗内管理装置に対して、前記減算後の新たな特定取引用価値の大きさと該携帯端末識別情報とを含む更新情報を送信し、前記他の店舗識別情報の店舗に設置されている前記店舗内管理装置に対して、前記加算後の新たな特定取引用価値の大きさと該携帯端末識別情報とを含む更新情報を送信し、
前記店舗内管理装置は、前記更新情報の受信に基づいて、受信した更新情報に含まれる携帯端末識別情報に対応付けて管理している特定取引用価値の大きさを、当該受信した更新情報に含まれる特定取引用価値の大きさに更新することを特徴とする特定取引用システム。
【請求項１８】
店舗における予め定められた特定取引に使用可能な特定取引用価値の大きさと、該店舗において当該特定取引用価値を照合するための照合情報とを対応付けて記憶するための特定取引用価値記憶部と、該携帯端末装置に固有に付与された携帯端末識別情報を記憶するための携帯端末識別情報記憶部とを備える携帯端末装置と、
各店舗に設置されて当該店舗において使用可能な特定取引用価値の大きさを該特定取引用価値の大きさが記憶された携帯端末装置の携帯端末識別情報に対応付けて管理する店舗内管理装置と、
前記店舗内管理装置並びに前記携帯端末装置とデータ通信可能とされ、前記携帯端末識別情報に対応付けて、当該携帯端末識別情報の携帯端末装置において対応付けて記憶されている特定取引用価値の大きさおよび照合情報に対応する店舗を個々に識別可能な店舗識別情報を管理する中央管理装置と、
から成る特定取引用システムであって、
前記特定取引用価値記憶部に記憶されている照合情報を含む照合要求を、前記特定取引を行うために前記店舗に設置された特定取引装置に送信する照合要求送信処理と、該送信した照合要求に対して前記特定取引装置から受信した照合結果が正規であることに応じて該特定取引装置における特定取引に使用される特定取引用価値の大きさを前記特定取引用価値記憶部に記憶されている特定取引用価値の大きさから減算する減算処理と、前記特定取引用価値を使用する使用店舗の指定を受付ける使用店舗受付け処理と、前記特定取引用価値記憶部に記憶されている照合情報を該受付けた使用店舗の照合情報に更新する更新処理と、該更新処理において照合情報が更新された前記使用店舗受付け処理にて受付けた使用店舗の店舗識別情報と前記携帯端末識別情報記憶部に記憶されている携帯端末識別情報とを少なくとも含む更新通知を前記中央管理装置に対して送信する更新通知送信処理と、をアプリケーションプログラムに基づいて実行するプログラム実行部と、
を備え、
前記中央管理装置は、前記更新通知の受信に基づいて、受信した更新通知に含まれる携帯端末識別情報および特定取引用価値の大きさに対応付けて管理している店舗識別情報を受信した更新通知に含まれる店舗識別情報に更新するともに、更新前の店舗識別情報の店舗に設置されている前記店舗内管理装置に対して、受信した更新通知に含まれる携帯端末識別情報と特定取引用価値の消去指示とを含む更新情報を送信し、更新後の店舗識別情報の店舗に設置されている前記店舗内管理装置に対して、受信した更新通知に含まれる携帯端末識別情報と特定取引用価値の大きさとを含む更新情報を送信し、
前記更新前の店舗識別情報の店舗に設置されている店舗内管理装置は、受信した更新情報に含まれる携帯端末識別情報に対応付けて管理している特定取引用価値の大きさを消去し、
前記更新後の店舗識別情報の店舗に設置されている店舗内管理装置は、受信した更新情報に含まれる携帯端末識別情報に対応付けて管理している特定取引用価値の大きさを、当該受信した更新情報に含まれる特定取引用価値の大きさに更新することを特徴とする特定取引用システム。
【発明の詳細な説明】
【技術分野】
【０００１】
本発明は、利用者が携行可能とされ、店舗における予め定められた特定取引に使用可能な特定取引用価値が記憶された携帯端末装置並びに、該携帯端末装置に記憶されている特定取引用価値を前記特定取引に使用するために該携帯端末装置において実行されるアプリケーションプログラム、並びに店舗において前記特定取引に前記特定取引用価値を使用するための特定取引用システムに関する。
【背景技術】
【０００２】
従来、店舗としての遊技場における特定取引となる玉貸に使用可能な他の遊技場（店舗）にて発行されたプリペイドカードを、遊技場内に設置された更新機に挿入することで、当該遊技場にて使用可能な更新カードが発行されるものがある（例えば、特許文献１参照）。
【０００３】
【特許文献１】特開平１０−９９５３１号公報（第４頁、第８図）
【発明の開示】
【発明が解決しようとする課題】
【０００４】
しかしながら、特許文献１のシステムにおいては、他店にて発行されたプリペイドカードを自店にても使用でき、利用者（遊技者）の利便性を高めることができる一方、店舗となる遊技場にとっては、更新機を設置する必要が生じ、更新機の設置コストを負担しなければならないばかりか、利用者（遊技者）が遊技場に到着しても、これら更新機による更新カードの発行を受ける必要があり、到着してから更新カードを使用して特定取引となる玉貸を実施するまでに時間がかってしまうという問題があった。
【０００５】
本発明は、このような問題点に着目してなされたもので、店舗が更新機を設置する設置コストを負担することなく、且つ、店舗到着から特定取引までの時間を短縮することのできる携帯端末装置、アプリケーションプログラムおよび特定取引用システムを提供することを目的とする。
【課題を解決するための手段】
【０００６】
上記課題を解決するために、本発明の請求項１に記載の携帯端末装置は、
複数の店舗について、各店舗を個々に識別可能な店舗識別情報に対応付けて、当該店舗における予め定められた特定取引に使用可能な特定取引用価値の大きさを記憶するための特定取引用価値記憶部と、
前記特定取引を行うために各店舗に設置された特定取引装置から当該特定取引装置が設置されている店舗の店舗識別情報を取得する店舗識別情報取得処理と、少なくとも該店舗識別情報を取得したことに応じて該特定取引装置における特定取引に使用される特定取引用価値の大きさを前記取得した店舗識別情報に対応付けて前記特定取引用価値記憶部に記憶されている特定取引用価値の大きさから減算する減算処理と、前記特定取引用価値記憶部に記憶されている複数の店舗識別情報のうちの１の店舗識別情報に対応付けて記憶されている特定取引用価値の大きさの範囲内の所定の大きさの特定取引用価値を減算するとともに、該所定の大きさの特定取引用価値を、他の店舗識別情報に対応付けて前記特定取引用価値記憶部に記憶されている特定取引用価値の大きさに加算する特定取引用価値移動処理と、
をアプリケーションプログラムに基づいて実行するプログラム実行部と、
を備えることを特徴としている。
この特徴によれば、店舗に到着する以前に携帯端末装置において、該携帯端末装置に複数の各店舗識別情報に対応付けて記憶されている各特定取引用価値の大きさを利用者が任意に移動させて増減できるので、店舗は更新機を設置する設置コストを負担することなく、且つ、店舗到着から特定取引までの時間を短縮することができる。
【０００７】
本発明の請求項２に記載の携帯端末装置は、請求項１に記載の携帯端末装置であって、
前記プログラム実行部は、前記アプリケーションプログラムに基づいて、各店舗の店舗識別情報を含む店舗情報を管理する店舗情報管理装置から前記特定取引用価値を記憶可能な店舗の一覧情報を取得する一覧情報取得処理と、該取得した一覧情報に含まれる店舗のうち、前記特定取引用価値の記憶対象とする店舗の指定を利用者から受付ける利用店舗受付け処理と、該指定を受付けた店舗の店舗識別情報を前記店舗情報管理装置から取得する利用店舗識別情報取得処理と、該取得した店舗識別情報に対応付けて前記特定取引用価値の大きさを記憶するための記憶領域を前記特定取引用価値記憶部に設定する利用店舗設定処理とを、さらに実施することを特徴としている。
この特徴によれば、特定取引用価値を記憶可能な店舗に関する情報を携帯端末装置に記憶しておく必要がなく、これらの情報の記憶容量を削減できる。
【０００８】
本発明の請求項３に記載の携帯端末装置は、請求項１に記載の携帯端末装置であって、
前記プログラム実行部は、前記アプリケーションプログラムに基づいて、各店舗の店舗識別情報を含む店舗情報を管理する店舗情報管理装置から前記特定取引用価値を記憶可能な店舗の店舗識別情報を含む一覧情報を取得する一覧情報取得処理と、該取得した一覧情報に含まれる店舗のうち、前記特定取引用価値の記憶対象とする店舗の指定を利用者から受付ける利用店舗受付け処理と、前記取得した一覧情報取に含まれる該指定を受付けた店舗の店舗識別情報に対応付けて前記特定取引用価値の大きさを記憶するための記憶領域を前記特定取引用価値記憶部に設定する利用店舗設定処理とを、さらに実施することを特徴としている。
この特徴によれば、特定取引用価値を記憶可能な店舗に関する情報を携帯端末装置に記憶しておく必要がなく、これらの情報の記憶容量を削減できる。
【０００９】
本発明の請求項４に記載の携帯端末装置は、請求項１〜３のいずれかに記載の携帯端末装置であって、
各携帯端末装置に固有に付与された携帯端末識別情報に対応付けて、当該携帯端末識別情報の携帯端末装置において対応付けて記憶されている店舗識別情報および特定取引用価値の大きさを管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記特定取引用価値移動処理後の新たな特定取引用価値の大きさを含む更新情報を送信する中央管理装置とデータ通信可能とされるとともに、前記携帯端末識別情報を記憶するための携帯端末識別情報記憶部を備え、
前記プログラム実行部は、前記アプリケーションプログラムに基づいて、前記携帯端末識別情報記憶部に記憶されている携帯端末識別情報と、前記特定取引用価値移動処理における他の店舗識別情報とを少なくとも含む移動通知を前記中央管理装置に対して送信する移動通知送信処理を、さらに実施することを特徴としている。
この特徴によれば、移動通知を中央管理装置に対して送信することで、特定取引用価値移動処理後の新たな特定取引用価値の大きさを含む更新情報が各店舗内管理装置に送信され、各店舗において携帯端末装置を特定取引に使用する際に、該店舗内管理装置において特定取引用価値の照合等が実施可能となり、よってこれら特定取引用価値の不正を極力防止することができる。
【００１０】
本発明の請求項５に記載の携帯端末装置は、
店舗における予め定められた特定取引に使用可能な特定取引用価値の大きさと、該店舗において当該特定取引用価値を照合するための照合情報とを対応付けて記憶するための特定取引用価値記憶部と、
前記特定取引用価値記憶部に記憶されている照合情報を含む照合要求を、前記特定取引を行うために前記店舗に設置された特定取引装置に送信する照合要求送信処理と、該送信した照合要求に対して前記特定取引装置から受信した照合結果が正規であることに応じて該特定取引装置における特定取引に使用される特定取引用価値の大きさを前記特定取引用価値記憶部に記憶されている特定取引用価値の大きさから減算する減算処理と、前記特定取引用価値を使用する使用店舗の指定を受付ける使用店舗受付け処理と、前記特定取引用価値記憶部に記憶されている照合情報を前記指定を受付けた使用店舗の照合情報に更新する更新処理とをアプリケーションプログラムに基づいて実行するプログラム実行部と、
を備えることを特徴としている。
この特徴によれば、利用者は、店舗に到着する以前に携帯端末装置において、該携帯端末装置に記憶されている照合情報を、指定した使用店舗の照合情報に更新させることができるので、店舗は更新機を設置する設置コストを負担することなく、且つ、店舗到着から特定取引までの時間を短縮することができる。
【００１１】
本発明の請求項６に記載の携帯端末装置は、請求項５に記載の携帯端末装置であって、
前記プログラム実行部は、前記アプリケーションプログラムに基づいて、各店舗の照合情報を含む店舗情報を管理する店舗情報管理装置から前記特定取引用価値を使用可能な店舗の一覧情報を取得する一覧情報取得処理を実施し、前記使用店舗受付け処理において該取得した一覧情報に含まれる店舗のうちから前記使用店舗の指定を利用者から受付け、該受付けた店舗の照合情報を前記店舗情報管理装置から取得する利用店舗照合情報取得処理をさらに実施するとともに、前記更新処理においては該利用店舗照合情報取得処理にて取得した照合情報に更新することを特徴としている。
この特徴によれば、特定取引用価値を使用可能な店舗に関する情報を携帯端末装置に記憶しておく必要がなく、これらの情報の記憶容量を削減できる。
【００１２】
本発明の請求項７に記載の携帯端末装置は、請求項５に記載の携帯端末装置であって、
前記プログラム実行部は、前記アプリケーションプログラムに基づいて、各店舗の照合情報を含む店舗情報を管理する店舗情報管理装置から前記特定取引用価値を使用可能な店舗の照合情報を含む一覧情報を取得する一覧情報取得処理を実施し、前記使用店舗受付け処理において該取得した一覧情報に含まれる店舗のうちから前記使用店舗の指定を利用者から受付け、前記更新処理においては前記一覧情報取得処理にて取得した一覧情報に含まれる該指定を受付けた店舗の照合情報に更新することを特徴としている。
この特徴によれば、特定取引用価値を使用可能な店舗に関する情報を携帯端末装置に記憶しておく必要がなく、これらの情報の記憶容量を削減できる。
【００１３】
本発明の請求項８に記載の携帯端末装置は、請求項５〜７のいずれかに記載の携帯端末装置であって、
各携帯端末装置に固有に付与された携帯端末識別情報に対応付けて、当該携帯端末識別情報の携帯端末装置において対応付けて記憶されている特定取引用価値の大きさおよび照合情報に対応する店舗を個々に識別可能な店舗識別情報を管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記更新処理後の新たな特定取引用価値の大きさを含む更新情報を送信する中央管理装置とデータ通信可能とされるとともに、前記携帯端末識別情報を記憶するための携帯端末識別情報記憶部を備え、
前記プログラム実行部は、前記アプリケーションプログラムに基づいて、前記携帯端末識別情報記憶部に記憶されている携帯端末識別情報と、前記更新処理において照合情報が更新された前記使用店舗受付け処理にて受付けた使用店舗の店舗識別情報とを少なくとも含む更新通知を前記中央管理装置に対して送信する更新通知送信処理を、さらに実施することを特徴としている。
この特徴によれば、更新通知を中央管理装置に対して送信することで、更新処理後の新たな特定取引用価値の大きさを含む更新情報が各店舗内管理装置に送信され、各店舗において携帯端末装置を特定取引に使用する際に、該店舗内管理装置において特定取引用価値の照合等が実施可能となり、よってこれら特定取引用価値の不正を極力防止することができる。
【００１４】
本発明の請求項９に記載のアプリケーションプログラムは、
複数の店舗について、各店舗を個々に識別可能な店舗識別情報に対応付けて、当該店舗における予め定められた特定取引に使用可能な特定取引用価値の大きさが記憶された携帯端末装置において実行され、該携帯端末装置に記憶されている特定取引用価値を前記特定取引に使用するためのアプリケーションプログラムであって、
前記特定取引を行うために各店舗に設置された特定取引装置から当該特定取引装置が設置されている店舗を個々に識別可能な店舗識別情報を取得する店舗識別情報取得ステップと、
少なくとも該店舗識別情報を取得したことに応じて該特定取引装置における特定取引に使用される特定取引用価値の大きさを前記取得した店舗識別情報に対応付けて該携帯端末装置に記憶されている特定取引用価値の大きさから減算する減算ステップと、
該携帯端末装置に記憶されている複数の店舗識別情報のうちの１の店舗識別情報に対応付けて記憶されている特定取引用価値の大きさの範囲内の所定の大きさの特定取引用価値を減算するとともに、該所定の大きさの特定取引用価値を、他の店舗識別情報に対応付けて該携帯端末装置に記憶されている特定取引用価値の大きさに加算する特定取引用価値移動ステップと、
を含むことを特徴としている。
この特徴によれば、店舗に到着する以前に携帯端末装置において、該携帯端末装置に複数の各店舗識別情報に対応付けて記憶されている各特定取引用価値の大きさを利用者が任意に移動させて増減できるので、店舗は更新機を設置する設置コストを負担することなく、且つ、店舗到着から特定取引までの時間を短縮することができる。
【００１５】
本発明の請求項１０に記載のアプリケーションプログラムは、請求項９に記載のアプリケーションプログラムであって、
各店舗の店舗識別情報を含む店舗情報を管理する店舗情報管理装置から前記特定取引用価値を記憶可能な店舗の一覧情報を取得する一覧情報取得ステップと、
該一覧情報取得ステップにて取得した一覧情報に含まれる店舗のうち、前記特定取引用価値の記憶対象とする店舗の指定を利用者から受付ける利用店舗受付けステップと、
該利用店舗受付けステップにて指定を受付けた店舗の店舗識別情報を前記店舗情報管理装置から取得する利用店舗識別情報取得ステップと、
該利用店舗識別情報取得ステップにて取得した店舗識別情報に対応付けて前記特定取引用価値の大きさを記憶するための記憶領域を該携帯端末装置に設定する利用店舗設定ステップと、
を含むことを特徴としている。
この特徴によれば、特定取引用価値を記憶可能な店舗に関する情報を携帯端末装置に記憶しておく必要がなく、これらの情報の記憶容量を削減できる。
【００１６】
本発明の請求項１１に記載のアプリケーションプログラムは、請求項９に記載のアプリケーションプログラムであって、
各店舗の店舗識別情報を含む店舗情報を管理する店舗情報管理装置から前記特定取引用価値を記憶可能な店舗の店舗識別情報を含む一覧情報を取得する一覧情報取得ステップと、
該一覧情報取得ステップにて取得した一覧情報に含まれる店舗のうち、前記特定取引用価値の記憶対象とする店舗の指定を利用者から受付ける利用店舗受付けステップと、
前記取得した一覧情報取に含まれる該指定を受付けた店舗の店舗識別情報に対応付けて前記特定取引用価値の大きさを記憶するための記憶領域を該携帯端末装置に設定する利用店舗設定ステップと、
を含むことを特徴としている。
この特徴によれば、特定取引用価値を記憶可能な店舗に関する情報を携帯端末装置に記憶しておく必要がなく、これらの情報の記憶容量を削減できる。
【００１７】
本発明の請求項１２に記載のアプリケーションプログラムは、請求項９〜１１のいずれかに記載のアプリケーションプログラムであって、
各携帯端末装置に固有に付与された携帯端末識別情報に対応付けて、当該携帯端末識別情報の携帯端末装置において対応付けて記憶されている店舗識別情報および特定取引用価値の大きさを管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記特定取引用価値移動ステップ後の新たな特定取引用価値の大きさを含む更新情報を送信する中央管理装置に対し、該携帯端末装置に記憶されている携帯端末識別情報と、前記特定取引用価値移動ステップにおける他の店舗識別情報とを少なくとも含む移動通知を送信する移動通知送信ステップを含むことを特徴としている。
この特徴によれば、移動通知を中央管理装置に対して送信することで、特定取引用価値移動ステップ後の新たな特定取引用価値の大きさを含む更新情報が各店舗内管理装置に送信されることで、各店舗において携帯端末装置を特定取引に使用する際に、該店舗内管理装置において特定取引用価値の照合等が実施可能となり、よってこれら特定取引用価値の不正を極力防止することができる。
【００１８】
本発明の請求項１３に記載のアプリケーションプログラムは、
店舗における予め定められた特定取引に使用可能な特定取引用価値の大きさと、該店舗において当該特定取引用価値を照合するための照合情報とが対応付けて記憶された携帯端末装置において実行され、該携帯端末装置に記憶されている特定取引用価値を前記特定取引に使用するためのアプリケーションプログラムであって、
該携帯端末装置に記憶されている照合情報を含む照合要求を、前記特定取引を行うために前記店舗に設置された特定取引装置に送信する照合要求送信ステップと、
該照合要求送信ステップにて送信した照合要求に対して前記特定取引装置から受信した照合結果が正規であることに応じて該特定取引装置における特定取引に使用される特定取引用価値の大きさを該携帯端末装置に記憶されている特定取引用価値の大きさから減算する減算ステップと、
前記特定取引用価値を使用する使用店舗の指定を受付ける使用店舗受付けステップと、
該携帯端末装置に記憶されている照合情報を該受付けた使用店舗の照合情報に更新する更新ステップと、
を含むことを特徴としている。
この特徴によれば、利用者は、店舗に到着する以前に携帯端末装置において、該携帯端末装置に記憶されている照合情報を、指定した使用店舗の照合情報に更新させることができるので、店舗は更新機を設置する設置コストを負担することなく、且つ、店舗到着から特定取引までの時間を短縮することができる。
【００１９】
本発明の請求項１４に記載のアプリケーションプログラムは、請求項１３に記載のアプリケーションプログラムであって、
各店舗の照合情報を含む店舗情報を管理する店舗情報管理装置から前記特定取引用価値を使用可能な店舗の一覧情報を取得する一覧情報取得ステップと、
該取得した一覧情報に含まれる店舗のうちから、前記使用店舗受付けステップにおいて利用者から指定を受付けた前記使用店舗の照合情報を前記店舗情報管理装置から取得する利用店舗照合情報取得ステップと、
を含み、
前記更新ステップにおいては、前記利用店舗照合情報取得ステップにて取得した照合情報に更新することを特徴としている。
この特徴によれば、特定取引用価値を使用可能な店舗に関する情報を携帯端末装置に記憶しておく必要がなく、これらの情報の記憶容量を削減できる。
【００２０】
本発明の請求項１５に記載のアプリケーションプログラムは、請求項１３に記載のアプリケーションプログラムであって、
各店舗の照合情報を含む店舗情報を管理する店舗情報管理装置から前記特定取引用価値を使用可能な店舗の照合情報を含む一覧情報を取得する一覧情報取得ステップを含み、
前記使用店舗受付けステップにおいては、該取得した一覧情報に含まれる店舗のうちから前記使用店舗の指定を利用者から受付け、
前記更新ステップにおいては、前記一覧情報取得処理にて取得した一覧情報取に含まれる該指定を受付けた店舗の照合情報に更新することを特徴としている。
この特徴によれば、特定取引用価値を使用可能な店舗に関する情報を携帯端末装置に記憶しておく必要がなく、これらの情報の記憶容量を削減できる。
【００２１】
本発明の請求項１６に記載のアプリケーションプログラムは、請求項１３〜１５のいずれかに記載のアプリケーションプログラムであって、
各携帯端末装置に固有に付与された携帯端末識別情報に対応付けて、当該携帯端末識別情報の携帯端末装置において対応付けて記憶されている特定取引用価値の大きさおよび照合情報に対応する店舗を個々に識別可能な店舗識別情報を管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置に対して、前記携帯端末識別情報並びに前記更新ステップ後の新たな特定取引用価値の大きさを含む更新情報を送信する中央管理装置に対し、該携帯端末装置に記憶されている携帯端末識別情報と、前記更新ステップにおいて照合情報が更新された前記使用店舗受付けステップにて受付けた使用店舗の店舗識別情報とを少なくとも含む更新通知を送信する更新通知送信ステップを含むことを特徴としている。
この特徴によれば、更新通知を中央管理装置に対して送信することで、更新処理後の新たな特定取引用価値の大きさを含む更新情報が各店舗内管理装置に送信され、各店舗において携帯端末装置を特定取引に使用する際に、該店舗内管理装置において特定取引用価値の照合等が実施可能となり、よってこれら特定取引用価値の不正を極力防止することができる。
【００２２】
本発明の請求項１７に記載の特定取引用システムは、
複数の店舗について、各店舗を個々に識別可能な店舗識別情報に対応付けて、当該店舗における予め定められた特定取引に使用可能な特定取引用価値の大きさを記憶するための特定取引用価値記憶部と、該携帯端末装置に固有に付与された携帯端末識別情報を記憶するための携帯端末識別情報記憶部とを備える携帯端末装置と、
各店舗に設置されて当該店舗において使用可能な特定取引用価値の大きさを該特定取引用価値の大きさが記憶された携帯端末装置の携帯端末識別情報に対応付けて管理する店舗内管理装置と、
前記店舗内管理装置並びに前記携帯端末装置とデータ通信可能とされ、前記携帯端末識別情報に対応付けて、当該携帯端末識別情報の携帯端末装置において対応付けて記憶されている店舗識別情報および特定取引用価値の大きさを管理する中央管理装置と、
から成る特定取引用システムであって、
前記携帯端末装置は、
前記特定取引を行うために各店舗に設置された特定取引装置から当該特定取引装置が設置されている店舗の店舗識別情報を取得する店舗識別情報取得処理と、少なくとも該店舗識別情報を取得したことに応じて該特定取引装置における特定取引に使用される特定取引用価値の大きさを前記取得した店舗識別情報に対応付けて前記特定取引用価値記憶部に記憶されている特定取引用価値の大きさから減算する減算処理と、前記特定取引用価値記憶部に記憶されている複数の店舗識別情報のうちの１の店舗識別情報に対応付けて記憶されている特定取引用価値の大きさの範囲内の所定の大きさの特定取引用価値を減算するとともに、該所定の大きさの特定取引用価値を、他の店舗識別情報に対応付けて前記特定取引用価値記憶部に記憶されている特定取引用価値の大きさに加算する特定取引用価値移動処理と、該特定取引用価値移動処理における他の店舗識別情報と前記携帯端末識別情報記憶部に記憶されている携帯端末識別情報とを少なくとも含む移動通知を前記中央管理装置に対して送信する移動通知送信処理と、をアプリケーションプログラムに基づいて実行するプログラム実行部と、
を備え、
前記中央管理装置は、前記移動通知の受信に基づいて、受信した移動通知に含まれる携帯端末識別情報に対応付けて管理している前記１の店舗識別情報に対応する特定取引用価値の大きさから前記所定の大きさの特定取引用価値を減算する一方、該所定の大きさの特定取引用価値を受信した移動通知に含まれる携帯端末識別情報並びに店舗識別情報に対応付けて管理している特定取引用価値の大きさに加算するともに、前記１の店舗識別情報の店舗に設置されている前記店舗内管理装置に対して、前記減算後の新たな特定取引用価値の大きさと該携帯端末識別情報とを含む更新情報を送信し、前記他の店舗識別情報の店舗に設置されている前記店舗内管理装置に対して、前記加算後の新たな特定取引用価値の大きさと該携帯端末識別情報とを含む更新情報を送信し、
前記店舗内管理装置は、前記更新情報の受信に基づいて、受信した更新情報に含まれる携帯端末識別情報に対応付けて管理している特定取引用価値の大きさを、当該受信した更新情報に含まれる特定取引用価値の大きさに更新することを特徴としている。
この特徴によれば、店舗に到着する以前に携帯端末装置において、該携帯端末装置に複数の各店舗識別情報に対応付けて記憶されている各特定取引用価値の大きさを利用者が任意に移動させて増減できるので、店舗は更新機を設置する設置コストを負担することなく、且つ、店舗到着から特定取引までの時間を短縮することができるとともに、移動通知を中央管理装置に対して送信することで、特定取引用価値移動処理後の新たな特定取引用価値の大きさを含む更新情報が各店舗内管理装置に送信され、各店舗において携帯端末装置を特定取引に使用する際に、該店舗内管理装置において特定取引用価値の照合等が実施可能となり、よってこれら特定取引用価値の不正を極力防止することができる。
【００２３】
本発明の請求項１８に記載の特定取引用システムは、
店舗における予め定められた特定取引に使用可能な特定取引用価値の大きさと、該店舗において当該特定取引用価値を照合するための照合情報とを対応付けて記憶するための特定取引用価値記憶部と、該携帯端末装置に固有に付与された携帯端末識別情報を記憶するための携帯端末識別情報記憶部とを備える携帯端末装置と、
各店舗に設置されて当該店舗において使用可能な特定取引用価値の大きさを該特定取引用価値の大きさが記憶された携帯端末装置の携帯端末識別情報に対応付けて管理する店舗内管理装置と、
前記店舗内管理装置並びに前記携帯端末装置とデータ通信可能とされ、前記携帯端末識別情報に対応付けて、当該携帯端末識別情報の携帯端末装置において対応付けて記憶されている特定取引用価値の大きさおよび照合情報に対応する店舗を個々に識別可能な店舗識別情報を管理する中央管理装置と、
から成る特定取引用システムであって、
前記特定取引用価値記憶部に記憶されている照合情報を含む照合要求を、前記特定取引を行うために前記店舗に設置された特定取引装置に送信する照合要求送信処理と、該送信した照合要求に対して前記特定取引装置から受信した照合結果が正規であることに応じて該特定取引装置における特定取引に使用される特定取引用価値の大きさを前記特定取引用価値記憶部に記憶されている特定取引用価値の大きさから減算する減算処理と、前記特定取引用価値を使用する使用店舗の指定を受付ける使用店舗受付け処理と、前記特定取引用価値記憶部に記憶されている照合情報を該受付けた使用店舗の照合情報に更新する更新処理と、該更新処理において照合情報が更新された前記使用店舗受付け処理にて受付けた使用店舗の店舗識別情報と前記携帯端末識別情報記憶部に記憶されている携帯端末識別情報とを少なくとも含む更新通知を前記中央管理装置に対して送信する更新通知送信処理と、をアプリケーションプログラムに基づいて実行するプログラム実行部と、
を備え、
前記中央管理装置は、前記更新通知の受信に基づいて、受信した更新通知に含まれる携帯端末識別情報および特定取引用価値の大きさに対応付けて管理している店舗識別情報を受信した更新通知に含まれる店舗識別情報に更新するともに、更新前の店舗識別情報の店舗に設置されている前記店舗内管理装置に対して、受信した更新通知に含まれる携帯端末識別情報と特定取引用価値の消去指示とを含む更新情報を送信し、更新後の店舗識別情報の店舗に設置されている前記店舗内管理装置に対して、受信した更新通知に含まれる携帯端末識別情報と特定取引用価値の大きさとを含む更新情報を送信し、
前記更新前の店舗識別情報の店舗に設置されている店舗内管理装置は、受信した更新情報に含まれる携帯端末識別情報に対応付けて管理している特定取引用価値の大きさを消去し、
前記更新後の店舗識別情報の店舗に設置されている店舗内管理装置は、受信した更新情報に含まれる携帯端末識別情報に対応付けて管理している特定取引用価値の大きさを、当該受信した更新情報に含まれる特定取引用価値の大きさに更新することを特徴としている。
この特徴によれば、利用者は、店舗に到着する以前に携帯端末装置において、該携帯端末装置に記憶されている照合情報を、指定した使用店舗の照合情報に更新させることができるので、店舗は更新機を設置する設置コストを負担することなく、且つ、店舗到着から特定取引までの時間を短縮することができるとともに、更新通知を中央管理装置に対して送信することで、更新前の店舗識別情報の店舗に設置されている店舗内管理装置には消去指示を含む更新情報が送信され、更新後の店舗識別情報の店舗に設置されている前記店舗内管理装置には特定取引用価値の大きさを含む更新情報が各店舗内管理装置に送信され、各店舗において携帯端末装置を特定取引に使用する際に、該店舗内管理装置において特定取引用価値の照合等が実施可能となり、よってこれら特定取引用価値の不正を極力防止することができる。
【発明を実施するための最良の形態】
【００２４】
本発明の実施例を以下に説明する。尚、以下の実施例においては、店舗として遊技場を対象とした例を示すが、本発明はこれに限定されるものではなく、これら遊技場以外の店舗にも本発明を適用できることはいうまでもない。
【実施例１】
【００２５】
はじめに、実施例１に係る本発明の特定取引用システムとなる遊技用システムに関して、図１〜図１７を参照して説明する。なお、本実施例１は請求項１、請求項９、請求項１７に対応している。
【００２６】
図１は、本発明のアプリケーションプログラムが搭載された携帯端末装置である携帯電話機５が適用された本実施例１の遊技用システムの構成を示すシステムブロック図であり、本実施例１の遊技用システムは、該図１に示すように、遊技場内に設置された複数の遊技機であるパチンコ機２に対して１対１に対応して設けられ、遊技場における特定取引となるパチンコ玉の貸出に使用可能な本発明における特定取引用価値となる残存金額が記憶されたプリペイド機能を備えるＩＣカードから成る会員カードや、会員登録を実施していない通常の遊技者が利用するプリペイドカードあるビジターカード、並びに残存金額が記憶されたプリペイド機能を備える携帯電話機５に記憶されている残存金額を、対応して設けられているパチンコ機２における遊技に使用させるためのパチンコ玉の貸出処理等を実施する本発明における特定取引装置となるカードユニット３と、これらカードユニット３にデータ通信可能に接続され、該接続されているカードユニット３の管理や、カードユニット３において使用された金額や当該遊技場におけるビジターカードや会員カード並びにプリペイド機能を備える携帯電話機５に残存する残存金額等の管理を行う本発明における店舗内管理装置となるシステムコントローラ１１０を有している。尚、各遊技場のシステムコントローラ１１０は、各遊技場において使用されるビジターカードや会員カード並びにプリペイド機能を備える携帯電話機５に残存する残存金額等の情報を集中管理するためにカード管理会社に設置された本発明における中央管理装置並びに店舗情報管理装置となる管理サーバ１４にデータ通信可能に接続されており、これら各遊技場に設置されたシステムコントローラ１１０と管理サーバ１４との間において後述する更新通知や更新情報の授受が可能とされている。尚、作図の都合上、図１においては、単一の遊技場のみが示されているが、実際には、複数の遊技場のシステムコントローラ１１０が、管理サーバ１４に接続されている。
【００２７】
また、本実施例に用いた携帯電話機５は、通常の無線による通話機能に加えて、携帯電話会社（キャリア）の基地局７並びにゲートウェイサーバ８を介してインターネット網９に接続できるインターネット接続機能を有しており、該インターネット網９を介して、携帯電話機５にお財布機能を提供するために該携帯電話機５に搭載されている後述する非接触ＩＣカード用チップ（以下、非接触ＩＣチップと略称する）１００の記憶領域（共通領域）を管理する管理会社のサーバコンピュータ１５や、これら非接触ＩＣチップ１００を用いて電子マネーサービスを提供する各電子マネーサービス提供会社Ａ，Ｂ…のサーバコンピュータ１６、１７…や、これら各電子マネーサービス提供会社Ａ，Ｂ…にて提供されて前記非接触ＩＣチップ１００に記憶されている電子マネー額を当該携帯電話機５に記憶されている残存金額への入金に使用するとともに、該残存金額をカードユニット３にて使用するための専用アプリケーションであるＪＧアプリケーション（ＪＧアプリ）を配信するカード管理会社に設置されている管理サーバ１４と、データ通信可能に接続されている。
【００２８】
この本実施例に用いた携帯電話機５の構成について、図２に基づいてより詳細に説明する。図２において、音声入力部５１は、マイク６５からのアナログ音声信号をディジタル信号に変換するための部位であり、マイクアンプ、フィルタ、Ａ／Ｄ変換器、等で構成される。音声出力部５２は、受信したディジタル音声信号に基づいてスピーカ６６またはイヤレシーバ６７を駆動するための部位であり、Ｄ／Ａ変換器、フィルタ、スピーカアンプ、等で構成される。ディジタル信号処理部５３は、ディジタル音声信号のエンコード、および、ディジタル音声信号へのデコードを行うための部位であり、ＤＳＰ(Digital Signal Processor)を中心とした畳み込み符号化、スロットインターリーブ、遅延検波、畳み込み復号化、等の各種専用回路で構成される。
【００２９】
また、ＲＦ入出力部５４は、電話機用アンテナ６２を介して携帯電話会社の基地局７と高周波電波の送受信を行う部位であり、直交変調器、ゲインアンプ、パワーアンプ、ダイバーシティー、ミキサー、ＩＦ復調器、アンテナ共用器等で構成される。
【００３０】
前記音声入力部５１から入力されてディジタル音声信号に変換された入力音声は、ディジタル信号処理部５３により、誤り訂正符号化、インターリーブ、拡散、Ｄ／Ａ（Ｄｉｇｉｔａｌ／Ａｎａｌｏｇ）変換などの処理を行い、その処理により生成した送信ベースバンド信号をＲＦ入出力部５４へ送る。そして、該ＲＦ入出力部５４内の直交変調器は、該送信ベースバンド信号により局部発振信号を変調して送信高周波信号を生成し、さらにその送信高周波信号を増幅した後にアンテナ共用器を通じて電話機用アンテナ６２から基地局７に送信する。
【００３１】
アンテナ共用器は、送信高周波信号と受信高周波信号とで１本の電話機用アンテナ６２を共用するためのものであり、直交変調器により変調された後に増幅された送信高周波信号を電話機用アンテナ６２へ送出する機能とともに、該電話機用アンテナ６２からの受信高周波信号をＲＦ入出力部５４内のＩＦ復調器へ送出する機能を備えたフィルタ回路により構成されている。
【００３２】
電話機用アンテナ６２は、基地局７との間で無線による高周波信号の送受信を行う。すなわち、前記直交変調器からアンテナ共用器を介して送られてきた送信高周波信号は、当該電話機用アンテナ６２から基地局７へ送信される。一方、基地局７から送信されてきた高周波信号は、当該電話機用アンテナ６２にて受信された後、アンテナ共用器を介してＩＦ復調器へ送られる。そして、該ＩＦ復調器並びにゲインアンプは、送られてきた受信高周波信号を増幅し、さらに復調処理を行って得られた受信ベースバンド信号をディジタル信号処理部５３へ送る。
【００３３】
この受信ベースバンド信号は、該ディジタル信号処理部５３において該受信ベースバンド信号のＡ／Ｄ変換、逆拡散、デインターリーブ、誤り訂正等の処理を実施して受信音声ディジタル信号として音声出力部５２へ送ることで、該音声出力部５２にてＤ／Ａ変換により受信した通話音声信号が生成、増幅されてスピーカ６６またはイヤレシーバ６７から出力されることで、無線通話機能が提供される。
【００３４】
なお、受信された信号が通話による音声データではなくて電子メールやインターネット上のウェブページのデータ信号である場合、ディジタル信号処理部５３において該受信ベースバンド信号のＡ／Ｄ変換、逆拡散、デインターリーブ、誤り訂正等の処理を実施したデータ信号（パケットデータ）が制御部５５に出力されることで、受信データに基づくページやメールが表示部５６に表示され、これらページにおける操作内容データ等や送信メールのデータ信号（パケットデータ）が、前述したディジタル音声信号に代えてディジタル信号処理部５３に送られることで、音声データと同様にこれら操作内容データ等や管理サーバ１４や各サーバコンピュータ１５〜１７からのダウンロードデータや送信メールのデータ信号が電話機用アンテナ６２から基地局７へ送信されることでインターネット接続機能や電子メール機能が形成されている。
【００３５】
また、本発明におけるプログラム実行部となる制御部５５は、携帯電話機５としての各種機能を、各種のプログラムを実行することで実現するための部位であり、これら各種のプログラムを実行可能な中央演算処理回路（ＣＰＵ；Ｃｅｎｔｒａｌ Ｐｒｏｃｅｓｓｉｎｇ Ｕｎｉｔ）等で構成されており、この制御部５５には、図２に示すように、各種の情報を表示するための表示部５６や、携行者（利用者）が各種の情報を入力したり、表示メニューを選択するための操作部５７や、制御部５５にて実行される各種の機能を提供するための各種プログラムや設定データ並びに当該携帯電話機５に固有に付与された本発明における携帯端末識別情報となる端末ＩＤ等を記憶するための本発明における携帯端末識別情報記憶部となるメモリ部６０や、その時点の時間情報や日付や曜日等のカレンダ情報等を出力するリアルタイムクロック（ＲＴＣ）６１や、外部のデータ処理装置との間でシリアルデータ通信などを行うための外部Ｉ／Ｆ（インタフェース）部５８や、バッテリ電源を元に各ブロックに必要な動作電力を供給するための電源部５９や、電話やメールの着信を振動により報知するためのバイブレータ部６３や、電話やメールの着信を知らせたり、充電時のインジケータとして使用される発光ダイオード（以下、ＬＥＤ）部６４が接続され、これら各部の動作制御を制御部５５が実施できるようになっており、例えば、操作部５７から入力される操作信号に応じた処理、表示装置５６への表示信号処理、ＬＥＤ部６４やバイブレータ部６３を動作させるための動作制御信号の生成、メモリ部６０の書き込み或いは読み出しなどの各種制御や信号処理を行う。
【００３６】
メモリ部６０は、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ ａｎｄ Ｐｒｏｇｒａｍｍａｂｌｅ Ｒｅａｄ Ｏｎｌｙ Ｍｅｍｏｒｙ）などからなる。ＲＯＭは、当該携帯電話機５の基本的な機能を実現するためのプログラムや初期設定値や前述の端末ＩＤが保存（記憶）されている。ＲＡＭは、制御部５５のＣＰＵ５６が作業領域として使用し、ＣＰＵ５６のプログラム実行中において必要に応じて計算途中のデータなどを記憶したり、他の各部と送受信するデータを一時的に記憶する。ＥＥＰＲＯＭは、不揮発性メモリであって、非接触ＩＣチップ１００に記憶されている各電子マネーサービス提供会社の電子マネー額をチャージしたり使用したりするための後述する電子マネーアプリケーションプログラムや、該電子マネー額を使用した入金や残存金額を遊技場において使用するための専用アプリケーションプログラムであるＪＧアプリや、電子メールの送受信やブラウザ機能等を提供する各種のアプリケーションプログラム、電話番号や電子メールアドレス及びそれに対応した氏名、名称などの情報からなる電話帳データ、送受信された電子メールデータ、スケジュール帳データ、発着信の通信履歴データ、メモ帳データ、利用者によりカスタマイズされた設定データ等の各種のデータを記憶する。
【００３７】
外部Ｉ／Ｆ部５８は、通信インタフェース回路、コネクタ、等で構成され、電源部５９はバッテリへの充電回路、過電流過電圧保護回路、等で構成される。表示部５６はユーザに対して表示情報を提供する部位であり、ＬＣＤドライバ、ＬＣＤ表示デバイス、等で構成される。
【００３８】
操作部５７は、電話番号やアルファベット、仮名文字、記号、絵文字等の入力に使用されるボタンや、画面上でのカーソルの移動やメニュー項目の選択等に使用される回転機能及びプッシュボタン機能を備えたジョグダイヤル等の操作子、電話の発着信、電源オン／オフなど、ユーザにより操作される各種のキーやボタン、ダイヤルからなる。なお、カーソル操作やメニュー項目の選択等に使用される操作子はジョグダイヤルに限定されないことは言うまでもない。
【００３９】
また、本実施例の制御部５５は、図２に示すように、携帯電話機５に内蔵されている前記非接触ＩＣチップ１００に接続されており、該非接触ＩＣチップ１００に記憶されている各種データにアクセスしたり、更には、該非接触ＩＣチップ１００を介して、該非接触ＩＣチップ１００が有する近接距離での無線通信機能にて通信可能な遊技場に設置されたカードユニット３のリーダ／ライタ３３０や、自動改札機やＰＯＳ端末等のリーダ／ライタとのデータ通信を実施できるようになっている。
【００４０】
本実施例に用いた非接触ＩＣチップ１００としては、実用化されているモバイルＦｉｌｉｃａ  ＩＣチップ（ソニー（株）製商品名）を好適に使用することができ、その構成は、図２に示すように、主に、アナログ部１０２と、ディジタル制御部１０３と、本発明における特定取引用価値記憶部となるメモリ１０４と、接続インタフェース１０５とで構成されており、該アナログ部１０２にはアンテナ部１０１が接続され、これらアンテナ部１０１は、例えば携帯電話機５の筐体内部に配設される。
【００４１】
アンテナ部１０１は、カードユニット３に設けられている後述のリーダ／ライタ３３０との間で電磁波による近距離の非接触データ通信を行う。アナログ部１０２は、検波、変復調、クロック抽出など、アンテナ部１０１から送受信されるアナログ信号の処理を行う。
【００４２】
また、非接触ＩＣチップ１００は、例えば、リーダ／ライタ３３０からの質問信号に対する応答信号に応じて自身のアンテナ間の負荷を変化させることによって、リーダ／ライタ３３０側の受信回路に現れる信号に振幅変調をかけて通信を行うことができる。但し、これら非接触データ通信の方式自体はこれに限定されるものではなく、これらの振幅変調による方式以外のものを使用するようにしても良い。
【００４３】
ディジタル制御部１０３は、送受信データの処理やその他、非接触ＩＣチップ１００内の動作やメモリ１０４の記憶データへのアクセスを統括的にコントロールする。ディジタル制御部１０３は、アドレス可能なメモリ１０４をローカルに接続しており、該メモリ１０４の記憶領域内に各電子マネーサービス提供会社Ａ，Ｂ…に割り当てられた記憶領域やカード管理会社に割り当てられた記憶領域に、電子マネー額となる残額データ等の各種データや残存金額や遊技場ＩＤ等の各種データを格納したり、ディジタル制御部１０３が実行するアクセス権管理や認証処理等のプログラム・コードをロードしたり、制御部５５において実行中の各アプリケーションの作業データや出力データを保存するために使用することができ、これらのメモリ１０４は、共通領域とフリー領域とに分かれており、共通領域に関しては、該共通領域を管理する管理機関である前記管理会社により管理されていて、該共通領域に記憶される各提供会社から提供されるアプリケーションや種々のデータを記憶する記憶領域や、該記憶領域に記憶されている各種のデータへのアクセス権が管理会社により管理されることで、各サービス提供者の記憶領域におけるデータのセキュリティが確保されるようになっている。
【００４４】
接続インタフェース１０５は、遊技場に設置されたカードユニット３のリーダ／ライタ３３０との間の非接触通信インタフェースとは相違するインタフェース・プロトコルにより、ディジタル制御部１０３が制御部５５と接続するための機能モジュールである。つまり、メモリ１０４に記憶されている各種のデータは、ディジタル制御部１０３並びに接続インタフェース１０５を経由して、制御部５５に転送されるので、制御部５５にて実施される各アプリケーションのメモリ１０４へのアクセスがディジタル制御部１０３にて一元的に管理される。
【００４５】
図３には、メモリ１０４のメモリ領域における共通領域の構成例を示している。同図に示す例では、各電子マネーサービス提供会社のサーバコンピュータ１６、１７にアクセスして電子マネーアプリケーションを取得（ダウンロード）することで、２つの電子マネーサービス提供会社である電子マネーサービス会社Ａ社の記憶領域１０４ａと、電子マネーサービス会社Ｂ社の記憶領域１０４ｂとが設けられているとともに、前記カード管理会社の管理サーバ１４にアクセスしてＪＧアプリケーションを取得（ダウンロード）することで、該カード管理会社の記憶領域１０４ｃとが設けられている状況を示している。
【００４６】
尚、これら共通領域には、更に、電子チケットサービスを提供する会社の領域や、ポイント・サービスなどを提供する会社の領域等のように、更に多くのサービス提供会社の記憶領域を設けることができ、これら各記憶領域には、電子マネー額である残金データや、会員番号等の種々のデータや、これら残金データの照会や更新を可能とするためのアクセス権が許諾されたアプリケーションのアプリＩＤ等を含むアクセス権データが記憶されており、これらアクセス権が前記管理会社のサーバコンピュータ１５にて管理されることで、例えば電子マネーサービス会社Ａ社が残金データを照会するアクセスをＪＧアプリケーションに対して許諾する内容のアクセス権データが記憶されている場合には、制御部５５にて実施されるＪＧアプリケーションが、ディジタル制御部１０３に電子マネーサービス会社Ａ社の残金への照会アクセス要求を出力した場合に、該ディジタル制御部１０３が該アクセス権データの内容に基づいて、電子マネーサービス会社Ａ社の残金へのアクセスを許諾して、該残金データを読み出して制御部５５に出力することで、ＪＧアプリケーションはアクセス権が設定されている電子マネーサービス会社の残額を把握できるようになっている。
【００４７】
また、本実施例では、ＪＧアプリケーションがこれら共通領域に記憶されている全ての電子マネーサービス会社の残金への照会アクセス権が設定されているものの、残金を変更する更新アクセス権は設定されておらず、これら電子マネーをＪＧアプリケーションにより残存金額への入金に使用する場合の決済に関しては、後述するように、ＪＧアプリケーションが各電子マネーサービス会社の電子マネーアプリケーションに対して、取引額となる使用金額（入金要求額）を含む決済要求を出力することで、これら電子マネーアプリケーションにより入金要求額の減算更新が実施されるようになっている。
【００４８】
また、本実施例のカード管理会社の領域には、図３に示すように、各電子マネーサービス会社の記憶領域と同様にアクセス権データが記憶されているとともに、当該携帯電話機５を利用する各遊技場（利用遊技場）毎の記憶領域が設定されており、これら各遊技場（利用遊技場）毎の記憶領域には、その遊技場の遊技場名と、当該遊技場を個々に識別可能な本発明の店舗識別情報となる遊技場ＩＤと、当該遊技場において使用することのできる残存金額とが記憶されている。つまり、各遊技場（利用遊技場）毎の記憶領域に、各遊技場を個々に識別可能な遊技場ＩＤに対応付けて、当該遊技場における予め定められた特定取引となるパチンコ玉の貸出に使用可能な残存金額が記憶されており、該記憶領域が設けられているメモリ１０４によって本発明における特定取引用価値記憶部が形成されている。
【００４９】
次いで、本発明における特定取引装置となる本実施例に用いたカードユニット３について説明すると、該カードユニット３は、遊技場に設置された遊技機であるパチンコ機２に１対１に対応して設けられており、該対応するパチンコ機２と直接、及び図示しない中継端末を介して接続されており、カードユニット３と対応するパチンコ機２との間で、パチンコ玉の貸出に関する各種信号の送受が可能とされている。
【００５０】
この本実施例のカードユニット３の前面には、図４に示すように、多機能ランプ３０１等の各種表示部と紙幣挿入口３０２、硬貨投入口３０３、アクセス報知部３３１、近距離通信部３３２、硬貨返却ボタン３０４、突出部３０５、硬貨返却口３０８、カード挿入口３０９が設けられている。
【００５１】
カードユニット３の前面に設けられたカード挿入口３０９は、内蔵される内部カードリーダライタ３２７（図４参照）のカードスロット（図示略）に連設されており、このカード挿入口３０９を介して会員カード並びにビジターカードをカードスロットに挿入可能とされている。
【００５２】
カードユニット３の前面には、前方に突出する態様にて突出部３０５が設けられている。該突出部３０５において、遊技者側に向けられた面には、表示部３１２と、メインメニュー画面を表示させるためのメニュースイッチ３１６と、データ画面（図示略）を表示させるためのデータスイッチ３１８と、遊技者が後述する貯蓄玉数を用いた再プレイ遊技を実施するための再プレイスイッチ３１９と、再プレイスイッチ３１９の操作が有効であることを報知するための再プレイ表示部３２０とが設けられており、該表示部３１２の表面には、表示部３１２に表示された表示項目を指触により入力可能とするためのタッチパネル３１４が設けられている。
【００５３】
図５は、本実施例のカードユニット３の構成を示すブロック図である。カードユニット３は、前記カード挿入口３０９に連設される内部カードリーダライタ３２７と、前記近距離通信部３３２の内部位置に設けられ、当該カードユニット３が設置された遊技場の残存金額が記憶された携帯電話機５との近距離非接触通信を実施するための外部カードリーダライタ３３０と、表示制御基板３２９と、カードユニット３の各部の制御を制御プログラムにより実施して該カードユニット３の各種の機能を提供する制御ユニット３２８と、から主に構成されており、内部カードリーダライタ３２７や外部カードリーダライタ３３０及び表示制御基板３２９は制御ユニット３２８と接続され、各種データの送受が可能とされている。
【００５４】
制御ユニット３２８は、制御プログラムを実行可能な中央演算処理回路（ＣＰＵ）３２８ａや、各種のデータを記憶可能なＲＡＭ３２８ｂや、制御プログラム等の各種のデータを記憶可能なＲＯＭ３２８ｃを含み、ＲＡＭ３２８ｂは図示しない電池によりバックアップされており、電源が遮断されても、所定期間において記憶されているデータが保持される。
【００５５】
内部カードリーダライタ３２７は、カード挿入口３０９から挿入される会員カードやビジターカードに記録されているカードＩＤや会員ＩＤ（会員カードのみ）、並びに遊技に使用可能な残存金額等の記録情報の読み取り並びに書き込みを行うとともに、外部カードリーダライタ３３０は、近距離通信部３３２に近接された残存金額が記憶されたプリペイド機能を備える携帯電話機５に内蔵されている前記非接触ＩＣチップ１００との間において、残存金額の使用に関する非接触データ通信を実施する。
【００５６】
表示制御基板３２９には、前述した液晶表示器３１３、タッチパネル３１４、各種スイッチ類（メニュースイッチ３１６ａ、データスイッチ３１８ａ、再プレイスイッチ３１９ａ）や前述した再プレイ表示部３２０内に設けられた再プレイＬＥＤ３２０ａ等の電子部品が接続されている。
【００５７】
表示制御基板３２９に接続されている電子部品のうちタッチパネル３１４、各種スイッチ類（メニュースイッチ３１６ａ、データスイッチ３１８ａ、再プレイスイッチ３１９ａ）は、表示制御基板３２９を介して制御ユニット３２８に接続されており、タッチパネル３１４による位置検出情報や各スイッチの検出信号が制御ユニット３２８に入力される。また、再プレイＬＥＤ３２０ａも、表示制御基板３２９を介して制御ユニット３２８に接続されており、その点灯制御が制御ユニット３２８により行われる。
【００５８】
また、表示制御基板３２９は、液晶表示器３１３の表示駆動を行う表示駆動回路や、前記タッチパネル３１４からの出力信号に基づいて押圧操作された位置を特定して該特定した入力位置情報を出力する入力位置検出回路や、表示駆動回路の表示処理や画像合成処理に使用されるＶＲＡＭや、各種スイッチが接続されてスイッチからの信号が入力されるＩ／Ｏポートを含み、制御ユニット３２８から出力された各種画面等の表示データを液晶表示器３１３に表示する制御を行う。
【００５９】
制御ユニット３２８には、表示制御基板３２９を介して接続されたスイッチや表示器等の電子部品に加えて、紙幣識別ユニット３２１、硬貨識別ユニット３２２が接続されている。
【００６０】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００６１】
また、制御ユニット３２８には、接続されたパチンコ機２に設けられ、受付け中の会員カードまたはビジターカードや、携帯電話機５から取得した残存金額を表示する図示しない残存金額表示器や、パチンコ玉の貸し出し（貸与）を行う際に操作される図示しない貸出ボタンの操作を検知する貸出ボタンスイッチや、受付け中の会員カードを返却させる際に操作される図示しない返却ボタンの操作を検知する返却ボタンスイッチが接続されている。
【００６２】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されている前記多機能ランプ内に設けられた多機能ＬＥＤ３０１ａやアクセス報知部３３１内に設けられた報知ＬＥＤ３３１ａ等の各ＬＥＤ、内部カードリーダライタ３２７、外部カードリーダライタ３３０、表示制御基板３２９の制御、残存金額表示器の表示制御等、全体の動作制御、並びに玉貸処理や、払戻処理や、会員入金処理や、ビジター入金処理や、返金処理等の各種処理を実行する。
【００６３】
また、制御ユニット３２８は、対応するパチンコ機２の図示しない賞球数制御基板と接続されており、該賞球数制御基板との間において玉貸処理に伴う各種信号の送受が実施可能とされているとともに、通信部３３４並びにＨＵＢを介してシステムコントローラ１１０や図示しない会員管理コンピュータとデータ通信可能に接続されており、各種データの送受が可能とされている。
【００６４】
また、制御ユニット３２８は、カード挿入口３０９に挿入された会員カード並びにビジターカード、並びに携帯電話機５から取得した残存金額に対してシステムコントローラ１１０と連携して利用の可／不可を判別する受付処理を行う。
【００６５】
そして、受付処理において利用の可とされた会員カード並びにビジターカードから読み出した残存金額や、受付けた携帯電話機５から取得した残存金額を、対応するパチンコ機２における遊技に使用させる処理となる、その時点に設定されている単位使用額に相当するパチンコ玉数の排出指示を対応するパチンコ機２に出力して、該単位使用額に相当するパチンコ玉数を貸出させる貸出処理、つまり特定取引を実施する。
【００６６】
また、制御ユニット３２８は、会員カードまたはプリペイドカードであるビジターカードが受付中でかつ残存する残存金額が「０」の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額を、受付け中の会員カードまたはビジターカードに残存する残存金額に加算するための追加入金処理を行う。
【００６７】
また、制御ユニット３２８は、会員遊技者が以前の遊技にて貯蓄した貯蓄玉数を、会員管理コンピュータから入手し、この入手した貯蓄玉数を使用して、対応するパチンコ機２に対して払戻要求を出力し、所定数のパチンコ玉の払い戻しを実施させる払戻処理を行う。
【００６８】
また、制御ユニット３２８は、前記返却ボタンの操作等の返却操作が遊技者により為された場合に、会員カードまたはビジターカードを受付け中の場合には該受付け中の会員カードまたはビジターカードの返却を実施する返却処理を行い、残存金額が受付けた携帯電話機５から取得した残存金額である場合には、携帯電話機５に対して該残存金額と、該残存金額を送信してきた携帯電話機５の端末ＩＤとを含む返金処理要求を送信して、該残存金額を携帯電話機５に返金する返金処理を実施する。
【００６９】
次に、本発明における店舗内管理装置となる本実施例に用いたシステムコントローラ１１０について説明すると、該システムコントローラ１１０は、図６に示すように、コンピュータ内部にてデータの送受を行うデータバス１１１に、後述する処理プログラムに基づいて、会員カード並びにビジターカードの残存金額等の情報を管理するカードマスターテーブルや、各携帯電話機５の当該遊技場の記憶領域に記憶されている残存金額を管理するための残存金額管理テーブル等の更新処理や、カードユニット３にて受付けた会員カード並びにビジターカード、携帯電話機５の残存金額の利用の可／不可を判別する認証処理や、後述する各種処理等を行うＣＰＵ１１２、ワークメモリ等として使用されるＲＡＭ１１３、時刻情報やカレンダ情報を出力するＲＴＣ１１４、磁気ディスクや光磁気ディスクから成る記憶装置１１５、ファンクションメニュー等が独自に割り当てられた専用化されたキーボードである入力装置１１６、後述する発行・入金金額集計結果画面等の各種情報を表示出力する表示装置１１７、各種情報をプリント出力するプリンタ１１８、前記カードユニット３や会員管理コンピュータとのデータ通信を行う通信部１１９、前記カード管理会社に設けられた管理サーバ１４とのデータ通信を可能とするためのデジタルサービスユニット（ＤＳＵ）１２１が接続された通常のコンピュータである。
【００７０】
また、前記記憶装置１１５には、システムコントローラ１１０の各種機能を提供するためにＣＰＵ１１２が実施する処理プログラムに加えて、各ビジターカードや会員カードの残存金額等の情報を管理するための図示しないカードマスターテーブルや、図７に示すように、各携帯電話機５の端末ＩＤに対応付けて該携帯電話機５に搭載されている非接触ＩＣチップ１００のメモリ１０４に設定されている当該遊技場の記憶領域に記憶されている残存金額が記憶された残存金額管理テーブルが記憶されている。
【００７１】
つまり、該残存金額管理テーブルにおいて、該遊技場において使用可能な残存金額を該残存金額が記憶された携帯電話機５の端末ＩＤに対応付けて記憶されて管理されている。
【００７２】
次いで、本発明における店舗情報管理装置であるとともに中央管理装置となる管理サーバ１４の構成について説明すると、まず管理サーバ１４は、図８に示すように、コンピュータ内部にてデータの送受を行うデータバス１４１に、該管理サーバ１４が実施する各遊技場にて使用される会員カードやビジターカードに残存する残存金額等を管理するための処理や、後述する記憶装置１４５に記憶されている端末別残存金額管理テーブルをはじめとする各テーブルを更新する処理等の各種処理を行うＣＰＵ１４２、処理時の一時記憶領域等として使用されるＲＡＭ１４３、キーボードやマウス等の入力装置１４４、磁気ディスクや光磁気ディスクから成る記憶装置１４５、各種情報を表示出力する表示装置１４６、通信回線を通じて各遊技場に設置されたシステムコントローラ１１０とのデータ通信を行うためのデジタルサービスユニット（ＤＳＵ）１４８、インターネット網９を介して各携帯電話機５とのデータ通信を行うための通信部１４９、が接続された処理能力に優れたサーバ用のコンピュータである。
【００７３】
また、記憶装置１４５には、管理サーバ１４が実施する各種処理内容が記述された処理プログラムに加えて、会員カードやビジターカードに残存する度数や入金額等のデータ等が記憶されるカード管理ＤＢや、図９（ａ）に示す端末別残存金額管理テーブルや、図９（ｂ）に示す遊技場情報テーブルが記憶されている。
【００７４】
この本実施例の端末別残存金額管理テーブルには、図９（ａ）に示すように、各携帯電話機５の端末ＩＤに対応付けて、該携帯電話機５に記憶領域が設定されて各遊技場に固有に付与された遊技場ＩＤと、該遊技場の記憶領域に記憶されている残存金額とが記憶されている。
【００７５】
つまりは、該端末別残存金額管理テーブルにおいて、各携帯電話機５の端末ＩＤに対応付けて、当該端末ＩＤの携帯電話機５において対応付けて記憶されている遊技場ＩＤおよび残存金額とが記憶されて管理されている。
【００７６】
また、本実施例の遊技場情報テーブルには、図９（ｂ）に示すように、各遊技場の遊技場ＩＤに対応付けて、当該遊技場の遊技場名や、所在地、該当エリア並びに前記ＤＳＵ１４８並びに通信回線を通じて各遊技場に設置されたシステムコントローラ１１０との通信接続を実施するための接続情報である回線番号等の情報（店舗情報）が記憶されている。
【００７７】
次に、本実施例の遊技用システムにおいて、プリペイド機能を備える携帯電話機５に特定取引用価値である残存金額が記憶される流れについて以下に説明する。
【００７８】
これらプリペイド機能を有する携帯電話機５を所持する遊技者（利用者）が、該プリペイド機能をカードユニット３において利用するには、予め、プリペイド機能を利用するためのアプリケーションプログラムをダウンロードしてメモリ部６０に記憶するとともに、携帯電話機５の非接触ＩＣチップ１００のメモリ１０４における共通領域に、電子マネー額となる残額やアクセス権データ等の各種データを登録する必要があることから、利用者は、まず、所持する携帯電話機５にて電子マネーを使用できるようにするために、インターネット網９を介して前述の電子マネーサービス提供会社Ａ，Ｂ…のサーバコンピュータ１６、１７…の内、所望する電子マネーサービス提供会社、例えば電子マネーサービス提供会社Ａのサーバコンピュータ１６にアクセスして、該サーバコンピュータ１６から電子マネーアプリケーションプログラムをダウンロードしてから該電子マネーアプリケーションプログラムを起動する。尚、これらダウンロードされた電子マネーアプリケーションプログラム等のダウンロードデータは、メモリ部６０のＥＥＰＲＯＭ内に記憶される。
【００７９】
該起動により、電子マネーアプリケーションプログラムが制御部５５によりメモリ部６０から読み出されて実行され、該電子マネーアプリケーションプログラムに基づいて制御部５５は、該携帯電話機５の端末ＩＤや非接触ＩＣチップ１００に固有に付与されているチップＩＤ等の情報をサーバコンピュータ１６に送信して該電子マネーサービス提供会社Ａにおける会員番号の発行を受けた後、前記管理会社の管理会社のサーバコンピュータ１５にアクセスして、該発行を受けた会員番号や残金データ等のメモリ１０４における共通領域への登録要求、具体的には当該電子マネーサービス提供会社Ａに固有に付与された企業ＩＤ等を含むリモート発行要求を送信することで、該管理会社のサーバコンピュータ１５において、携帯電話機５に内蔵されている非接触ＩＣチップ１００とサーバコンピュータ１５の暗号鍵やチップＩＤ等による相互認証が実施された後、該管理会社のサーバコンピュータ１５により当該電子マネーサービス提供会社Ａへの共通領域における領域の割り当て、並びに会員番号や残金データの初期値等が書き込み記憶されるリモート発行処理が実施されることで、該電子マネーサービス提供会社Ａの電子マネー額を使用できるようになる。
【００８０】
尚、このリモート発行処理においては、各チップＩＤに対応付けて、記憶領域１０４ａが割り当てられた該電子マネーサービス提供会社Ａの企業ＩＤや、割り当てた領域の容量やアドレスの情報等が、管理会社のサーバコンピュータ１５に記憶、管理されることで、どの非接触ＩＣチップ１００に、どのような企業の記憶領域が割り当てられているかが管理されるようになっている。
【００８１】
また、これら電子マネーの新規記憶時においては、電子マネーの残金は「０」であるので、前記電子マネーアプリケーションプログラムを起動してサーバコンピュータ１６にアクセスして残金にチャージするか、或いは、当該電子マネーサービス提供会社Ａのチャージ用端末において残金にチャージしておく。
【００８２】
このようにして、非接触ＩＣチップ１００に記憶された電子マネーサービス提供会社Ａの電子マネー額に加えて、本実施例では、前述した図３に示すように、非接触ＩＣチップ１００には複数の電子マネーサービス提供会社の電子マネー額を記憶できるようになっており、その他の電子マネーサービス提供会社、例えば電子マネーサービス提供会社Ｂの場合も電子マネーサービス提供会社Ａの場合と同様にして、電子マネーサービス提供会社Ｂのサーバコンピュータ１７にアクセスして、電子マネーアプリケーションプログラムをダウンロードしてメモリ部６０に記憶するとともに、該ダウンロードした電子マネーサービス提供会社Ｂの電子マネーアプリケーションプログラムを起動することで、前記管理会社のサーバコンピュータ１５により、非接触ＩＣチップ１００のメモリ１０４に当該電子マネーサービス提供会社Ｂに記憶領域１０４ｂが割り当てられ、該Ｂ社の会員番号や残金等のデータが、該割り当てられた記憶領域１０４ｂに書き込み記憶されることで、該電子マネーサービス提供会社Ｂの電子マネー額を使用することができるようになる。
【００８３】
そして、このようにして非接触ＩＣチップ１００のメモリ１０４の共通領域に、少なくとも１社の電子マネーサービス提供会社の記憶領域が割り当てられていて、該記憶領域に記憶されている電子マネー額である残額を使用して残存金額への入金ができる状態において、遊技者（利用者）は、これら電子マネー額を残存金額に入金し、該残存金額をカードユニット３において使用するためのアプリケーションプログラムであるＪＧアプリケーション（ＪＧアプリ）をカード管理会社に設置されている前述の管理サーバ１４にアクセスしてダウンロード（取得）する。
【００８４】
これらカード管理会社の管理サーバ１４のＵＲＬアドレスは、遊技場内やカードユニット３に掲示されたＵＲＬアドレスやＵＲＬアドレスデータがシンボル化された２次元バーコード等により提供される。
【００８５】
これらＪＧアプリのダウンロード、並びに非接触ＩＣチップ１００のメモリ１０４の共通領域内における該カード管理会社の記憶領域１０４ｃの割り当てや該記憶領域１０４ｃへの各種のデータの記憶における処理状況並びに携帯電話機５の表示部５６の表示状況について、図１０並びに図１１に基づいて説明すると、前記したカード管理会社の管理サーバ１４のＵＲＬアドレスを携帯電話機５に入力してカード管理会社の管理サーバ１４にアクセスすると、管理サーバ１４からは、図１１（ａ）に示す「アプリのダウンロードはこちら」の選択操作可能なメニューを含むトップページが携帯電話機５に配信され、該携帯電話機５の制御部５５は、該配信されたトップページを表示部５６に表示する。
【００８６】
そして、該トップページにおいて利用者が「アプリのダウンロードはこちら」メニューを選択操作した場合には、制御部５５は、以下に示すダウンロード処理を実施して、ＪＧアプリを取得する。具体的に、該ダウンロード処理においては、「アプリのダウンロードはこちら」メニュー選択操作に基づいて、選択されたメニューに対してリンク付けされているＵＲＬアドレスを含むＨＴＴＰリクエストを管理サーバ１４に対して送信する。
【００８７】
このＨＴＴＰリクエストの受信により管理サーバ１４は、該受信したＨＴＴＰリクエストが「アプリのダウンロードはこちら」メニュー選択操作に対応するＵＲＬアドレスであることにより、「アプリのダウンロードはこちら」メニュー選択操作がなされたものと判断して、ＪＧアプリを該ＨＴＴＰリクエストの送信元の携帯電話機５に対して返信する。
【００８８】
これらＪＧアプリは、データ通信方式の１つであるパケット通信にて、個々のパケットに分割された形にて順次携帯電話機５に配信され、該配信されたＪＧアプリのパケットを受信した制御部５５は、該受信したパケットをメモリ部６０に順次蓄積記憶するとともに、表示部５６に図１１（ｂ）に示す「ダウンロード中」のメッセージを表示して、ＪＧアプリをダウンロード中であることを利用者に報知する。
【００８９】
そして、制御部５５は、ＪＧアプリの全データのパケットを受信してメモリ部６０への蓄積記憶が終了した場合には、該蓄積記憶したＪＧアプリを読み込んで、該ＪＧアプリを起動し、該ＪＧアプリに基づく登録処理を実施する。
【００９０】
このＪＧアプリの起動により、制御部５５は、図１１（ｃ）に示すように、選択操作可能な「利用登録」のメニューを含む利用者了承受付け画面（ページ）を表示部５６に表示して、利用者から該「利用登録」の選択操作を受付ける。
【００９１】
この「利用登録」の選択操作に基づいて、制御部５５は、利用者による了承が得られたもとの判断して、ダウンロードされた該ＪＧアプリが無事起動したことを示す該携帯電話機５のＩＰアドレス等を含む起動確認情報や、該携帯電話機５の端末ＩＤや非接触ＩＣチップ１００に固有に付与されているチップＩＤ等の情報を含む登録情報を管理サーバ１４に送信する。
【００９２】
この起動確認情報や登録情報の受信に基づいて管理サーバ１４は、受信した登録情報を正規利用者の情報として記憶、管理するとともに、登録が完了したことを示す登録完了通知を携帯電話機５に返信する。
【００９３】
この登録完了通知の受信に基づいて制御部５５は、該ＪＧアプリに予め設定されている管理会社のサーバコンピュータ１５のＩＰアドレスに基づいて、該管理会社のサーバコンピュータ１５に、記憶領域１０４ｃの割り当て要求や初期値データ等の登録要求となる、具体的には該ＪＧアプリケーションプログラムを提供するカード管理会社に固有に付与された企業ＩＤや該ＪＧアプリケーションプログラムに固有に付与されたアプリケーションＩＤとを含むリモート発行要求を送信するとともに、表示部５６に図１１（ｄ）に示すように、利用登録中のメッセージを表示する。
【００９４】
このリモート発行要求の受信により管理会社のサーバコンピュータ１５は、携帯電話機５に内蔵されている非接触ＩＣチップ１００との暗号鍵やチップＩＤ等の識別情報に基づく相互認証を実施し、該相互認証により互いの認証が得られた場合において、受信したリモート発行要求に含まれる企業ＩＤやアプリケーションＩＤが、予め共通領域の利用が許諾された利用登録がなされている企業の企業ＩＤ並びにアプリケーションＩＤに一致するか否かを判定し、該判定において一致する場合において、チップＩＤから特定される非接触ＩＣチップ１００の共通領域における空き領域を特定して、該特定した空き領域に該企業ＩＤに対応する容量の記憶領域に対応するアドレス空間を割り当て、該割り当てたアドレス空間に対して、該サーバコンピュータ１５に予め登録されており、該サーバコンピュータ１５から送信される利用履歴データや初期値データ等の書き込み指示が、非接触ＩＣチップ１００のディジタル制御部１０３に対して送信されることで、これら共通領域において割り当てられたカード管理会社の記憶領域１０４ｃに、該送信されてきた初期値データが書き込み記憶される。
【００９５】
尚、管理会社のサーバコンピュータ１５には、該ＪＧアプリケーションプログラムがアクセス可能とされる共通領域に記憶されている他の企業の記憶領域のデータへのアクセス権に関する情報が登録されており、本実施例では、ＪＧアプリケーションプログラムは、共通領域に記憶されている各電子マネーサービス会社の残金データに対する照会アクセス権が、各電子マネーサービス会社により許諾されることで設定されていて、これらアクセス権に関する情報に基づいて、サーバコンピュータ１５は、受信したリモート発行要求にカード管理会社の企業ＩＤとＪＧアプリケーションＩＤが含まれる場合には、既に共通領域に記憶している電子マネーサービス会社、例えば、電子マネーサービス会社Ａ，電子マネーサービス会社Ｂを特定し、該特定した電子マネーサービス会社Ａ、電子マネーサービス会社Ｂのアクセス権データを、ＪＧアプリケーションが該電子マネーサービス会社Ａ，電子マネーサービス会社Ｂの残金データを照会できるように更新することで、ＪＧアプリケーションは、共通領域に記憶されている各電子マネーサービス会社Ａ，Ｂの残金データの照会をディジタル制御部１０３にて許諾されるようになる。
【００９６】
そして、これらメモリ１０４の共通領域へのＪＧアプリケーション等の記憶や各アクセス権設定が終了した場合に管理会社のサーバコンピュータ１５から送信される、アクセス権設定がなされた電子マネーサービス会社の企業情報を含む完了通知の受信に基づいて、制御部５５は、図１１（ｅ）に示すように、残存金額を利用する利用遊技場を検索する方法として、「地域から探す」方法と、「店舗名から探す」方法の２つの検索方法を表示して、利用者から検索方法の選択を受付ける。
【００９７】
この図１１（ｅ）に示す検索方法選択受付け画面において、例えば利用者が「地域から探す」を選択した場合には、図１１（ｆ）に示すように、遊技場の検索対象とする都道府県、市区町村の入力を受付けた後、「検索」の選択操作に基づいて該受付けた都道府県、市区町村を含む利用遊技場検索要求を管理サーバ１４に送信する。
【００９８】
この利用遊技場検索要求の受信に基づいて管理サーバ１４は、受信した都道府県、市区町村に該当する遊技場の遊技場名を、前述の遊技場情報テーブルに記憶されている情報に基づいて該遊技場情報テーブルから抽出し、該抽出した遊技場名の一覧データを含む検索結果を携帯電話機５に返信する。
【００９９】
この検索結果の受信に基づいて制御部５５は、受信した検索結果に含まれる一覧データに基づいて、管理サーバ１４にて抽出された遊技場名を、図１１（ｇ）に示すように、利用者が選択可能に一覧表示して、利用者から残存金額を使用する利用遊技場の指定を受付ける。
【０１００】
そして、利用者により遊技場が選択されて「決定」が選択操作された場合には、該選択された遊技場名と端末ＩＤとを含む遊技場ＩＤ出力要求を管理サーバ１４に送信して、該管理サーバ１４から利用者にて選択された遊技場の遊技場ＩＤを取得するとともに、該選択された遊技場の記憶領域を該ＪＧアプリケーションに割り当てられたカード管理会社の記憶領域１０４ｃ内に設定し、該設定した遊技場の記憶領域に、取得した遊技場ＩＤと該遊技場の遊技場名と当該遊技場にて利用可能な残存金額（初期値は「０」）とを記憶して、該残存金額への電子マネーからの入金を可能とするとともに、図１１（ｈ）に示すように、該選択された遊技場が利用遊技場として設定された旨と、更に利用遊技場を追加したい場合の操作案内メッセージを含む完了画面を所定時間に亘り表示部５６に表示して、ＪＧアプリケーションを終了する。
【０１０１】
尚、前記遊技場ＩＤ出力要求を受信した管理サーバ１４においては、前述のように、該受信した遊技場ＩＤ出力要求に含まれる遊技場名に対応付けて遊技場情報テーブルに記憶されている当該遊技場の遊技場ＩＤを返信するとともに、端末別残存金額管理テーブルにおいて受信した遊技場ＩＤ出力要求に含まれる端末ＩＤに対応付けて、該遊技場ＩＤと残存金額の初期値となる「０」を記憶するとともに、該遊技場ＩＤの遊技場に設置されているシステムコントローラ１１０に対して、該端末ＩＤと残存金額とを含む更新情報を送信することで、該更新情報を受信したシステムコントローラ１１０において、残存金額管理テーブルに該端末ＩＤと残存金額とが記憶されることで、ＪＧアプリケーションによるプリペイド機能を当該遊技場において使用できるようになる。但し、この段階では残存金額が「０」であるので、残存金額への入金後において入金した残存金額を使用できる。
【０１０２】
次に、これら残存金額に電子マネーを使用して入金したり、その他の遊技場を利用遊技場に追加したり、該追加した遊技場の残存金額に他の遊技場の残存金額を移動する場合に実施される内部起動処理に関して、図１２〜図１４に基づいて以下に説明する。
【０１０３】
まず、遊技者（利用者）が携帯電話機５において、所定のＪＧアプリケーションの起動操作を実施すると、制御部５５は、メモリ部６０に記憶されているＪＧアプリケーションを読み出して実行し、該ＪＧアプリケーションに基づいて図１２（ａ）に示すメインメニュー画面を表示部５６に表示する（Ｓｎ１）。
【０１０４】
このメインメニュー画面には、当該携帯電話機５に記憶されている電子マネー額を使用して残存金額へ入金するための「電子マネー入金」のメニューと、その時点において当該携帯電話機５に記憶されている各遊技場の残存金額を表示させて確認するための「残存金額確認」メニューと、利用遊技場として設定されている任意の遊技場の残存金額を、その他の遊技場において使用するために他の所望する遊技場の残存金額に移動させるための「残額移動」のメニューと、利用遊技場を追加するための「利用遊技場追加」のメニューと、ＪＧアプリを終了するための「終了」のメニューとが選択操作可能に設けられている。
【０１０５】
これらメインメニュー画面における各メニューの選択操作は、図１４に示すフロー図におけるＳｎ２〜Ｓｎ６の各ステップを繰返し実施することで、いずれかのメニュー操作があったことが検知される。
【０１０６】
このメインメニュー画面において、遊技者（利用者）が電子マネー額を使用して残存金額への入金を実施したい場合に、「電子マネー入金」のメニューを選択操作した場合には、該選択操作がＳｎ２において検知されてＳｎ７に進んで、制御部５５は、非接触ＩＣチップ１００のメモリ１０４のカード管理会社の記憶領域１０４ｃ内に設定されている全ての記憶領域にアクセスして、該全ての記憶領域に記憶されている遊技場名を全て読み出して利用遊技場一覧として、図１２（ｄ）に示すように、遊技者（利用者）が選択可能に表示して入金対象とする遊技場の選択を受付ける。尚、利用遊技場が１つのみの場合には、遊技場の選択を受付ける必要はないので、これら遊技場の選択受付けを行わず、確認画面を表示するようにしても良い。
【０１０７】
そして、遊技者（利用者）が入金対象とする遊技場、例えば「ホール●×△」を選択して「決定」を選択入力すると、制御部５５は、Ｓｎ８に進んで、非接触ＩＣチップ１００のメモリ１０４に記憶されている各電子マネーサービス提供会社の残金データにアクセスして最も金額の大きな電子マネー残額を特定し、該特定した電子マネー残額の範囲内の金額メニューを選択可能に表示して、入金要求額の選択を遊技者（利用者）から受付ける。
【０１０８】
そして、遊技者（利用者）が選択可能とされた金額メニューから所望の金額、例えば３０００円を選択すると、制御部５５は、Ｓｎ９に進んで、選択を受付けた入金要求額の決済要求を、前記特定した電子マネー残額の電子マネーサービス会社の電子マネーアプリケーションに対して出力する。
【０１０９】
このＳｎ９における決済要求の出力を受けて制御部５５は、ＪＧアプリケーションによる処理を一時中断して、前記特定した電子マネー残額の電子マネーサービス会社の電子マネーアプリケーションをメモリ部６０から読み出して実行し、該電子マネーアプリケーションに基づいて、該決済要求に含まれる発行要求額を当該電子マネーサービス提供会社の残額から減算更新した後、完了通知をＪＧアプリケーションに対して出力する。
【０１１０】
この完了通知の出力に基づいて制御部５５は、一時中断していたＪＧアプリケーションによる処理を再開してＳｎ１０に進み、Ｓｎ７において遊技者（利用者）から受付けた入金対象の遊技場である「ホール●×△」に割り当て設定された記憶領域に記憶されている当該「ホール●×△」の残存金額（例えば１０００円）に入金要求額である３０００円を加算更新する。
【０１１１】
そしてＳｎ１１に進み、端末ＩＤと入金対象の遊技場「ホール●×△」の遊技場ＩＤと入金後の残存金額と使用した電子マネーサービス会社の電子マネー会社ＩＤとを含む電子マネー入金通知を管理サーバ１４に対して送信した後、Ｓｎ１２に進み、図１２（ｆ）に示すように、加算更新後の入金対象の遊技場「ホール●×△」の残存金額、例えば４０００円を含む完了画面を、「確認」の選択入力がなされるか或いは所定期間が経過するまで表示部５６に表示した後、Ｓｎ１に戻る。
【０１１２】
尚、前記電子マネー入金通知を受信した管理サーバ１４においては、図１６に示すように、受信した電子マネー入金通知に含まれる端末ＩＤ並びに遊技場ＩＤに対応付けて端末別残存金額管理テーブルに記憶されている残存金額が、受信した電子マネー入金通知に含まれる残存金額に更新されるとともに、該遊技場ＩＤの遊技場に設置されているシステムコントローラ１１０に対して、該端末ＩＤと残存金額とを含む更新情報が送信されることで、該更新情報を受信したシステムコントローラ１１０において、残存金額管理テーブルにおいて該端末ＩＤに対応して記憶されている残存金額が、該更新情報に含まれる残存金額に更新されることで、該残存金額を当該遊技場「ホール●×△」において使用できるようになる。
【０１１３】
一方、図１２（ａ）のメインメニュー画面において、遊技者（利用者）が残存金額を確認したい場合に「残存金額確認」メニューを選択操作した場合には、該選択操作がＳｎ３において検知されてＳｎ１３に進んで、制御部５５は、非接触ＩＣチップ１００のメモリ１０４のカード管理会社の記憶領域１０４ｃ内に設定されている全ての記憶領域にアクセスして、該全ての記憶領域に記憶されている遊技場名を全て読み出して利用遊技場一覧として、図１２（ｂ）に示すように、遊技者（利用者）が選択可能に表示して確認対象とする遊技場の選択を受付ける。
【０１１４】
そして、遊技者（利用者）が確認対象とする遊技場、例えば「ホール●×△」を選択して「決定」を選択入力すると、制御部５５は、Ｓｎ１４に進んで、該受付けた遊技場「ホール●×△」に対して割り当て設定された記憶領域に記憶されている当該「ホール●×△」の残存金額（例えば１０００円）にアクセスして残存金額を特定し、該残存金額を含む図１２（ｃ）に示す確認画面を、「確認」の選択入力がなされるか或いは所定期間が経過するまで表示部５６に表示した後、Ｓｎ１に戻る。このように、遊技者（利用者）は、利用遊技場に設定している各遊技場の残存金額を携帯電話機５において確認することができる。
【０１１５】
尚、利用遊技場が１つのみの場合には、遊技場の選択を受付ける必要はないので、図１２（ｂ）の画面を表示せずに、１２（ｃ）に示す確認画面を直接表示するようにしても良い。
【０１１６】
一方、図１３（ａ）のメインメニュー画面（図１２（ａ）に同じ）において、遊技者（利用者）が残存金額を他の遊技場に移動したい場合に「残額移動」メニューを選択操作した場合には、該選択操作がＳｎ４において検知されてＳｎ１５に進んで、制御部５５は、非接触ＩＣチップ１００のメモリ１０４のカード管理会社の記憶領域１０４ｃ内に設定されている全ての記憶領域にアクセスして、該全ての記憶領域に記憶されている遊技場名を全て読み出して移動元の遊技場一覧として、図１３（ｂ）に示すように、遊技者（利用者）が選択可能に表示して移動元とする遊技場の選択を受付ける。尚、この場合、制御部５５が、残存金額の存在する遊技場を特定して、該特定した残存金額の存在する遊技場を表示部５６に表示するようにしても良い。
【０１１７】
そして、遊技者（利用者）が移動元とする遊技場、例えば「ホール●×△」を選択して「決定」を選択入力すると、制御部５５は、Ｓｎ１６に進んで、該受付けた移動元の遊技場以外の遊技場名を移動先の遊技場一覧として、図１３（ｃ）に示すように、遊技者（利用者）が選択可能に表示して移動先とする遊技場の選択を受付ける。
【０１１８】
そして、遊技者（利用者）が移動先とする遊技場、例えば「○×△渋谷店」を選択して「決定」を選択入力すると、制御部５５は、移動元と移動先の遊技場名を表示した図示しない確認画面を表示して残存金額の移動内容の可否を遊技者（利用者）から受付けた後、Ｓｎ１７に進んで、移動元の遊技場「ホール●×△」の記憶領域に記憶されている残存金額を全て減算更新するとともに、該減算した残存金額を移動先の遊技場「○×△渋谷店」の記憶領域に記憶されている残存金額に加算更新する。
【０１１９】
つまりは、該Ｓｎ１７において、本発明における特定取引用価値記憶部となるメモリ１０４に記憶されている複数の遊技場ＩＤのうちの１の店舗識別情報である移動元の遊技場ＩＤに対応付けて記憶されている残存金額の全額を減算するとともに、該残存金額の全額を、他の遊技場ＩＤとなる移動先の遊技場ＩＤに対応付けてメモリ１０４に記憶されている残存金額に加算しており、該Ｓｎ１７によって本発明における特定取引用価値移動処理並びに特定取引用価値移動ステップが形成されている。
【０１２０】
そしてＳｎ１８に進んで、当該携帯電話機５の端末ＩＤと移動元の遊技場「ホール●×△」の記憶領域に記憶されている該遊技場「ホール●×△」の遊技場ＩＤ並びに移動先の遊技場「○×△渋谷店」の記憶領域に記憶されている該遊技場「○×△渋谷店」の遊技場ＩＤとを含む移動通知を管理サーバ１４に送信した後、Ｓｎ１９に進み、図１３（ｄ）に示すように、加算更新後の移動先の遊技場「○×△渋谷店」の残存金額、例えば５０００円を含む完了画面を、「確認」の選択入力がなされるか或いは所定期間が経過するまで表示部５６に表示した後、Ｓｎ１に戻る。
【０１２１】
つまりは、該Ｓｎ１８において、メモリ部６０に記憶されている端末ＩＤと、Ｓｎ１７における他の店舗識別情報となる移動先の遊技場ＩＤとを少なくとも含む移動通知を管理サーバ１４に対して送信しており、該Ｓｎ１８によって本発明における移動通知送信処理並びに移動通知送信ステップが形成されている。
【０１２２】
尚、前記移動通知を受信した管理サーバ１４においては、図１６に示すように、受信した移動通知に含まれる携帯端末識別情報である端末ＩＤに対応付けて端末別残存金額管理テーブルに記憶されている前記１の店舗識別情報となる移動元の遊技場ＩＤに対応する特定取引用価値の大きさである残存金額から所定の大きさである全額を減算する一方、該減算した全額の残存金額を、受信した移動通知含まれる移動先の遊技場ＩＤ並びに端末ＩＤに対応付けて端末別残存金額管理テーブルに記憶されている残存金額に加算更新するとともに、前記１の店舗識別情報である移動元の遊技場ＩＤから特定される移動元の遊技場に設置されているシステムコントローラ１１０に対して、該端末ＩＤと減算更新後の残存金額とを含む更新情報を送信し、前記他の店舗識別情報である移動先の遊技場ＩＤから特定される移動元の遊技場に設置されているシステムコントローラ１１０に対して、該端末ＩＤと加算更新後の残存金額とを含む更新情報を送信することにより、これら更新情報を受信したシステムコントローラ１１０において、残存金額管理テーブルにおいて該端末ＩＤに対応して記憶されている残存金額が、該更新情報に含まれる残存金額に更新されることで、移動先の遊技場「○×△渋谷店」において該残存金額を使用できるようになる。
【０１２３】
一方、図１２（ａ）のメインメニュー画面（図１２（ａ）に同じ）において、遊技者（利用者）が利用遊技場を追加したい場合に「利用遊技場追加」メニューを選択操作した場合には、該選択操作がＳｎ５において検知されてＳｎ２０に進んで、制御部５５は、図１３（ｅ）に示すように、新たに追加する利用遊技場を検索する方法として、「地域から探す」方法と、「店舗名から探す」方法の２つの検索方法を表示して、利用者から検索方法の選択を受付ける。
【０１２４】
この図１３（ｅ）に示す検索方法選択受付け画面において、例えば利用者が「店舗名から探す」を選択した場合には、Ｓｎ２１に進んで、制御部５５は、図１３（ｆ）に示すように、遊技場名（店舗名）を検索するためのキーワードを入力するためのキーワード入力画面を表示部５６に表示してキーワードの入力を受付け、「検索」の選択操作に基づいてＳｎ２２に進み、前記Ｓｎ２１にて受付けた検索方法の種別である検索種別と、検索条件となる該受付けたキーワードを含む検索結果要求を管理サーバ１４に送信して検索結果一覧データを取得する。
【０１２５】
つまりは、該Ｓｎ２２において、各遊技場の遊技場ＩＤを含む遊技場情報を管理する管理サーバ１４から残存金額を記憶可能な遊技場の一覧情報を取得しており、該Ｓｎ２２によって本発明における一覧情報取得処理並びに一覧情報取得ステップとが形成されている。
【０１２６】
具体的には、検索結果要求の受信に基づいて管理サーバ１４においては、受信した検索結果要求に含まれる検索種別から検索方法が遊技場名（店舗名）検索であることとともに、検索結果要求に含まれる検索条件であるキーワードを特定して、該特定したキーワードを遊技場名に含む全ての遊技場名を、遊技場情報テーブルから抽出し、該抽出した遊技場名の一覧データを含む検索結果一覧データを返信する。
【０１２７】
尚、Ｓｎ２１において、「地域から探す」が選択された場合の処理は、前述の図１１において説明した処理内容と同様である。
【０１２８】
このようにして管理サーバ１４から取得した検索結果一覧データに基づいて制御部５５は、該取得した検索結果一覧データに含まれる遊技場名を、図１３（ｇ）に示すように選択可能に一覧表示して追加する利用遊技場の選択を遊技者（利用者）から受付ける（Ｓｎ２３）。
【０１２９】
つまりは、該Ｓｎ２３において、前記Ｓｎ２２にて取得した一覧情報に含まれる遊技場のうち、残存金額の記憶対象とする遊技場の指定を利用者から受付けており、該Ｓｎ２３によって本発明における利用店舗受付け処理並びに利用店舗受付けステップとが形成されている。
【０１３０】
そして、検索結果一覧の表示により遊技者（利用者）は、一覧表示されている遊技場名に新たに利用遊技場として追加したい所望の遊技場が存在しない場合には「戻る」のメニューを選択して、図１３（ｆ）のキーワード入力画面を表示部５６に再度表示させて、より詳しいキーワードを再度入力することで、該再入力されたキーワードに基づく検索結果一覧が再度表示される一方、追加したい所望の遊技場が存在する場合には該追加したい所望の遊技場の遊技場名を選択した後、「決定」を選択入力する。
【０１３１】
この、利用者による遊技場の選択並びに「決定」の選択操作がなされた場合には、該選択された遊技場名と端末ＩＤとを含む遊技場ＩＤ出力要求を管理サーバ１４に送信して、該管理サーバ１４から利用者にて選択された遊技場の遊技場ＩＤを取得するとともに、該選択された遊技場の記憶領域を該ＪＧアプリケーションに割り当てられたカード管理会社の記憶領域１０４ｃ内に設定し、該設定した遊技場の記憶領域に、取得した遊技場ＩＤと該遊技場の遊技場名と当該遊技場にて利用可能な残存金額（初期値は「０」）とを記憶して、該残存金額への電子マネーからの入金を可能とするとともに（Ｓｎ２４）、図１３（ｈ）に示すように、該選択された遊技場が利用遊技場として追加設定された旨のメッセージを含む完了画面を、「確認」の選択入力がなされるか或いは所定期間が経過するまで表示部５６に表示した後（Ｓｎ２５）、Ｓｎ１に戻る。
【０１３２】
つまりはＳｎ２４において、Ｓｎ２３にて受付けた遊技場の遊技場ＩＤを管理サーバ１４から取得しており、該Ｓｎ２４によって本発明における利用店舗識別情報取得処理並びに利用店舗識別情報取得ステップとが形成されているとともに、該Ｓｎ２４において、該取得した遊技場ＩＤに対応付けて残存金額を記憶するための記憶領域をメモリ１０４に設定しており、該Ｓｎ２４によって本発明における利用店舗設定処理並びに利用店舗設定ステップとが形成されている。
【０１３３】
このように本実施例では、管理サーバ１４からの検索結果一覧データに含まれる遊技場名を選択可能に一覧表示して、利用者（遊技者）から追加する利用遊技場の選択を受付け、該受付けた追加する利用遊技場の遊技場ＩＤのみを管理サーバ１４から取得するようにしているが、本発明はこれに限定されるものではなく、前述のＳｎ２２において検索結果一覧データとして、遊技場名とともに遊技場ＩＤを含む検索結果一覧データを管理サーバ１４から取得するようにしておき（Ｓｎ２２＋）、Ｓｎ２３にて利用者（遊技者）から受付けた追加する利用遊技場の遊技場ＩＤを、再度管理サーバ１４にアクセスすることなく、検索結果一覧データに含まれる遊技場ＩＤから特定して、前記Ｓｎ２４と同様に、当該遊技場ＩＤと残存金額を記憶する記憶領域を設定するようにしても良い。
【０１３４】
つまりは、各遊技場の遊技場ＩＤを含む遊技場情報を管理する管理サーバ１４から残存金額を記憶可能な遊技場の遊技場ＩＤを含む一覧情報を取得する一覧情報取得処理（一覧情報取得ステップ）となるＳｎ２２＋と、該取得した一覧情報に含まれる遊技場のうち、残存金額の記憶対象とする遊技場の指定を利用者（遊技者）から受付ける利用店舗受付け処理（利用店舗受付けステップ）となるＳｎ２３と、前記取得した一覧情報取に含まれる該指定を受付けた遊技場の遊技場ＩＤに対応付けて残存金額を記憶するための記憶領域をメモリ１０４に設定する利用店舗設定処理（利用店舗設定ステップ）となるＳｎ２４を実施するようにしても良い。
【０１３５】
次に、本実施例の遊技用システムにおいて、前述のように、内部起動処理により記憶された残存金額が、本発明の特定取引装置となるカードユニット３における特定取引となるパチンコ玉の貸出に使用される流れについて、図１５並びに図１７に基づいて以下に説明する。
【０１３６】
まず、前述のようにして入金された残存金額を、入金された残存金額が該当する遊技場において使用する場合には、遊技者（利用者）は、該遊技場に設置されているパチンコ機２のうち、遊技を実施したい所望のパチンコ機２に対応して設けられているカードユニット３の近距離通信部３３２に、所持している携帯電話機５を近接させる。
【０１３７】
この近接により外部カードリーダライタ３３０と非接触ＩＣチップ１００との間において、前述の近距離非接触通信が実施されて、相互認証が行われるとともに、該相互認証において認証が得られた場合に、カードユニット３の制御ユニット３２８は、該外部カードリーダライタ３３０を通じて、ＪＧアプリのアプリケーションＩＤ並びにアプリケーションの起動指示データ並びに当該遊技場の遊技場ＩＤを含む所定フォーマット形式の残存金額送信要求を非接触ＩＣチップ１００に送信する。
【０１３８】
この残存金額送信要求の受信に基づいてディジタル制御部１０３は、該受信した残存金額送信要求を一次記憶するとともに、該残存金額送信要求に含まれるアプリケーションＩＤから起動指示されたアプリケーションがＪＧアプリのアプリケーションであると特定し、該ＪＧアプリの起動要求を制御部５５に出力して制御部５５に該ＪＧアプリを実行させ、該ＪＧアプリを起動した制御部５５に対して、前記にて一次記憶している残存金額送信要求を出力する。
【０１３９】
このＪＧアプリを起動した制御部５５は、ディジタル制御部１０３から出力される各種要求を受信する図１５に示すＳ１の要求受付け処理を実施した後、Ｓ２においてカードユニット３から非接触ＩＣチップ１００を介して受信した要求、つまりは該要求受付け処理にてディジタル制御部１０３から出力された要求が残存金額送信要求であるか否かを判定し、受信した要求が残存金額送信要求である場合にはＳ２＋に進んで、Ｓ２＋〜Ｓ６の残存金額送金処理またはＳ１３〜Ｓ１７の処理を実施する一方、受信した要求が残存金額送信要求でない場合、具体的には返金処理要求を受信した場合にはＳ８に進んで、Ｓ８〜Ｓ１１の返金処理を実施する。
【０１４０】
つまりは、外部起動処理におけるＳ１の要求受付け処理において、本発明における特定取引装置となるカードユニット３から当該カードユニット３が設置されている遊技場の遊技場ＩＤを含む残存金額送信要求を受付けて取得しており、該Ｓ１の要求受付け処理によって本発明における店舗識別情報取得処理並びに店舗識別情報取得ステップが形成されている。
【０１４１】
受信した要求が残存金額送信要求である場合にはＳ２からＳ２＋に進んで、受信した残存金額送信要求から該受信した残存金額送信要求に含まれる遊技場ＩＤを特定した後、該特定した遊技場ＩＤが記憶されている記憶領域がカード管理会社の記憶領域内に設定されて存在するか否かを判定する（Ｓ３）。
【０１４２】
このＳ３の判定結果が「Ｎｏ」である場合には、Ｓ１３に進んで、該遊技場が利用対象の遊技場に設定されていないことをメッセージを表示部５６に表示して報知するとともに、当該遊技場を利用遊技場に設定して残存金額を移動させるか否かを、遊技者（利用者）から受付ける。
【０１４３】
そして、該受付けにおいて移動させないことを遊技者（利用者）から受付けた場合にはＳ１４にて「Ｎｏ」と判定して処理を終了する一方、移動することを受付けた場合には、Ｓ１４からＳ１５に進んで、カードユニット３から受信した残存金額送信要求に含まれる遊技場ＩＤを記憶する当該遊技場の残存金額記憶領域をカード管理会社の記憶領域内に設定し、その時点において残存金額が記憶されている記憶領域を移動元の遊技場として特定して（残存金額が記憶されている記憶領域が複数である場合には、最高額の残存金額が記憶されている記憶領域を移動元の遊技場として特定）、該移動元の遊技場の残存金額を「０」に減算更新するとともに、該減算した残存金額と受信した残存金額送信要求に含まれる遊技場ＩＤとを、前記にて設定した記憶領域に記憶する。
【０１４４】
そしてＳ１６に進み、端末ＩＤと移動元の遊技場ＩＤ並びに移動先の遊技場ＩＤ、つまりは新たに設定した記憶領域に記憶した遊技場ＩＤとを含む移動通知を管理サーバ１４に送信した後、該移動した残存金額と、残存金額を当該遊技場において使用可能に移動した旨のメッセージを含む図示しない完了画面を、「確認」の選択入力がなされるか或いは所定期間が経過するまで表示部５６に表示した後、処理を終了する。尚、遊技者（利用者）は、これら当該遊技場において使用可能に移動した残存金額を、携帯電話機５を再度カードユニット３の近距離通信部３３２に近接させることで、当該残存金額を玉貸処理に使用できるようになる。
【０１４５】
尚、前記移動通知を受信した管理サーバ１４においては、前記内部起動処理の場合に送信される移動通知の受信と同様に、図１６に示すように、受信した移動通知含まれる移動元の遊技場ＩＤ並びに端末ＩＤに対応付けて端末別残存金額管理テーブルに記憶されている残存金額の全額を減算する一方、該減算した全額の残存金額を受信した移動通知含まれる移動先の遊技場ＩＤ並びに端末ＩＤに対応付けて端末別残存金額管理テーブルに記憶されている残存金額に加算更新するとともに、移動元並びに移動先の遊技場に設置されているシステムコントローラ１１０に対して、該端末ＩＤと減算更新後並びに加算更新後の残存金額とを含む更新情報をそれぞれ送信することで、該更新情報を受信したシステムコントローラ１１０において、残存金額管理テーブルにおいて該端末ＩＤに対応して記憶されている残存金額が、該更新情報に含まれる残存金額に更新されることで、移動先の遊技場において該残存金額を使用できるようになる。
【０１４６】
一方、前述のＳ３の判定結果が「Ｙｅｓ」である場合にはＳ４に進んで、受信した遊技場ＩＤに対応して記憶されている残存金額と、当該携帯電話機５の端末ＩＤとを含む可使要求を、非接触ＩＣチップ１００を通じてカードユニット３に対して送信する。
【０１４７】
この端末ＩＤと残存金額とを含む可使要求の受信（取得）に基づいて、カードユニット３の制御ユニット３２８は、図１７に示すように、該受信（所得）した端末ＩＤと残存金額とを含む使用許諾要求をシステムコントローラ１１０に対して送信する。
【０１４８】
この使用許諾要求の受信に応じてシステムコントローラ１１０は、受信した使用許諾要求に含まれる残存金額が、残存金額管理テーブルにおいて、該受信した使用許諾要求に含まれる端末ＩＤに対応付けて記憶されている残存金額と一致するか否かを照合し、残存金額と一致して認証ＯＫである場合において、該残存金額のカードユニット３における使用を許諾する使用許諾を、使用許諾要求の送信元のカードユニット３（制御ユニット３２８）に返信し、認証ＮＧである場合においては使用不可を返信する。
【０１４９】
この使用許諾の受信に基づいて制御ユニット３２８は、認証ＯＫを携帯電話機５に対して返信するとともに、該残存金額を表示して該残存金額を使用するための貸出操作または該残存金額を返金するための返却操作を受付け可能とする。尚、使用不可を受信した場合には、残存金額を表示することなく認証ＮＧを携帯電話機５に対して返信する。
【０１５０】
この認証ＯＫを、非接触ＩＣチップ１００を通じて受信した携帯電話機５の制御部５５は、Ｓ５からＳ６に進んで、前記Ｓ４において送信した残存金額を当該遊技場の残存金額記憶領域から減算更新するとともに、該残存金額記憶領域の残存金額への電子マネー入金を禁止した後、処理を終了する一方、認証ＮＧを受信した場合には、Ｓ５からＳ７に進んで、残存金額の照合エラーを表示部５６に表示して、該残存金額を利用できないことを報知するエラー処理を実施する。
【０１５１】
つまりは、Ｓ６において、少なくともＳ１の要求受付け処理にて遊技場ＩＤを取得したことに応じてカードユニット３におけるパチンコ玉の貸出に使用される残存金額を前記取得した遊技場ＩＤに対応付けて特定取引用価値記憶部となるメモリ１０４に記憶されている残存金額から減算しており、該Ｓ６によって本発明における減算処理並びに減算ステップが形成されている。尚、ここで言う、「カードユニット３（特定取引装置）におけるパチンコ玉の貸出（特定取引）に使用される残存金額（特定取引用価値の大きさ）を減算」とは、本実施例のように、「カードユニット３（特定取引装置）におけるパチンコ玉の貸出（特定取引）に使用される予定の残存金額（特定取引用価値の大きさ）を減算」することも含むものである。
【０１５２】
そして利用者（遊技者）は、前述のようにして受付け可能とされた貸出操作、具体的には前述したパチンコ機２に設けられている貸出ボタンを操作することで、カードユニット３において前述の貸出処理が実施されることで、単位使用額に相当するパチンコ玉数の貸出が対応するパチンコ機２において実施されることで、利用者（遊技者）は、カードユニット３が対応するパチンコ機２において遊技を開始することができる。
【０１５３】
尚、該貸出処理においては、図１７に示すように、カードユニット３（制御ユニット３２８）からシステムコントローラ１１０に対して、該残存金額とともに受信した携帯電話機５の端末ＩＤと使用金額（単位使用額）とを含む貸出完了通知が送信されることで、該システムコントローラ１１０において、残存金額管理テーブルに該受信した貸出完了通知に含まれる端末ＩＤに対応付けて記憶されている残存金額から、該受信した貸出完了通知に含まれる使用金額（単位使用額）が減算更新される。
【０１５４】
そして、利用者（遊技者）が遊技を終了したい場合には、所定の返却操作、具体的には前述したパチンコ機２に設けられている返却ボタンを操作することで、カードユニット３において前述の返金処理が実施される。
【０１５５】
具体的に返金処理においては、前記返却操作の実施後において、遊技者（利用者）が所持している携帯電話機５を近距離通信部３３２に近接させることにより、前述の残存金額送信要求の場合と同様に、外部カードリーダライタ３３０と非接触ＩＣチップ１００との間における相互認証が得られた後に、該外部カードリーダライタ３３０を通じて、ＪＧアプリのアプリケーションＩＤ並びにアプリケーションの起動指示データ並びに、その時点における残存金額と、該残存金額を送信してきた携帯電話機５の端末ＩＤ、具体的には、前記受信した可使要求に残存金額とともに含まれていた端末ＩＤを含む所定フォーマット形式の返金処理要求を、非接触ＩＣチップ１００に送信する。
【０１５６】
この返金処理要求の受信に基づいてディジタル制御部１０３は、該受信した返金処理要求を一次記憶するとともに、該返金処理要求に含まれるアプリケーションＩＤから起動指示されたアプリケーションがＪＧアプリのアプリケーションであると特定し、該ＪＧアプリの起動要求を制御部５５に出力して制御部５５に該ＪＧアプリを実行させ、該ＪＧアプリを起動した制御部５５に対して、前記にて一次記憶している返金処理要求を出力する。
【０１５７】
このＪＧアプリを起動した制御部５５は、図１５に示す外部起動処理におけるＳ１の前述した要求受付け処理を実施した後、Ｓ２においてカードユニット３から受信した要求が残存金額送信要求ではないと判定してＳ８に進み、該受信した返金処理要求に含まれる端末ＩＤとメモリ部６０に記憶されている自己の端末ＩＤとを比較して、双方の端末ＩＤが一致するか否かを判定する判定処理を実施する。
【０１５８】
そして、該Ｓ８の判定処理における判定において双方の端末ＩＤが一致することを条件にＳ９に進んで、該Ｓ９以降の各ステップを実施するとともに、双方の端末ＩＤが一致しない場合には、Ｓ１１へ進んで、非接触ＩＣチップ１００を通じてカードユニット３に端末ＩＤ不一致エラーを送信して処理を終了する。この端末ＩＤ不一致エラーを受信したカードユニット３の制御ユニット３２８は、残存金額が送信された携帯電話機５と返金する携帯電話機とが異なるために返金が不可であることを示すメッセージを表示部３１２に表示して処理を中止する。これにより、遊技に未使用の残存金額が他人の携帯電話機５に不正に返却されることを防止できる。
【０１５９】
一方、Ｓ８の判定処理において双方の端末ＩＤが一致する場合には、Ｓ９に進み、受信した端末ＩＤに対応付けて残存金額記憶領域に記憶されている残存金額（具体的には「０」）を、受信した返金処理要求に含まれる残存金額に更新した後、Ｓ１０に進んで残存金額の更新が完了した旨を含む完了通知をカードユニット３に送信（返信）するとともに、前述のＳ６にて実施した当該残存金額への電子マネー入金の禁止を解除して処理を終了する。
【０１６０】
そして、該完了通知を受信したカードユニット３（制御ユニット３２８）は、図１７に示すように、システムコントローラ１１０に対して、返金処理要求に含まれる端末ＩＤを含む返金通知を送信することで、該システムコントローラ１１０においては、残存金額管理テーブルに該受信した返金通知に含まれる端末ＩＤに対応付けて記憶されている残存金額と当該端末ＩＤとを含む更新要求が、管理サーバ１４に対して送信される。
【０１６１】
そして、該更新要求の受信に応じて管理サーバ１４においては、端末別残存金額管理テーブルに受信した更新要求に含まれる遊技場ＩＤと端末ＩＤとに対応付けて記憶されている残存金額が、受信した残存金額に更新されることで、携帯電話機５において遊技場ＩＤに対応付けて記憶されている残存金額と、端末別残存金額管理テーブルに遊技場ＩＤと端末ＩＤとに対応付けて記憶されている残存金額とが一致するように管理される。尚、システムコントローラ１１０からの更新要求は、返金通知の受信時のみならず、カードユニット３における残存金額が「０」となった場合においても管理サーバ１４に対して送信されて、該端末別残存金額管理テーブルに記憶されている残存金額が「０」に更新される。
【０１６２】
以上、本実施例１によれば、店舗となる遊技場に到着する以前に携帯端末装置となる携帯電話機５において、該携帯電話機５に複数の各遊技場ＩＤ（店舗識別情報）に対応付けて記憶されている各残存金額（特定取引用価値の大きさ）を利用者（遊技者）が任意に移動させて増減できるので、遊技場は更新機を設置する設置コストを負担することなく、且つ、遊技場到着から特定取引となるパチンコ玉の貸出までの時間を短縮することができる。
【０１６３】
また、本実施例１によれば、特定取引用価値である残存金額を記憶可能な遊技場に関する情報、具体的には遊技場名や所在地等の情報を携帯電話機５側に記憶しておく必要がなく、これらの情報の記憶容量を削減できる。さらには、残存金額を記憶可能な新規の遊技場を追加する場合等においては、管理サーバ１４０側においてのみ、新規の遊技場を追加するのみで良く、これらの遊技場を追加等の処理を容易に実施することができる。
【０１６４】
また、本実施例１によれば、移動通知を中央管理装置となる管理サーバ１４に対して送信することで、特定取引用価値移動処理となる前述のステップＳｎ１７の処理後の新たな残存金額を含む更新情報が、各店舗内管理装置となるシステムコントローラ１１０に送信され、各遊技場において携帯電話機５を特定取引となるパチンコ玉の貸出に使用する際に、該システムコントローラ１１０において残存金額の照合等が実施可能となり、よってこれら残存金額の不正を極力防止することができる。
【実施例２】
【０１６５】
次に、実施例２に係る特定取引用システムとなる遊技用システムに関して、図１８〜図２３を参照して説明する。なお、本実施例２は請求項５、請求項１３、請求項１８に対応しており、本実施例２の特徴としては、前記実施例１においては、各携帯電話機５において、各残存金額が当該残存金額を使用可能な遊技場の残存金額記憶領域に該遊技場の遊技場ＩＤに対応付けて記憶されていたのに対し、本実施例２では、各携帯電話機５において残存金額記憶領域は、各遊技場において共通であり、残存金額に対応付けて各遊技場の照合用データが記憶されている点であり、その他のシステム構成等は、前述の実施例１の遊技用システムと同一であることから、同一である部分の説明は省略するものとし、前記実施例１からの変更点となる本実施例２の特徴部分について以下に説明する。
【０１６６】
まず、本実施例２の携帯電話機５のメモリ１０４のメモリ領域における共通領域の構成例は、図１８に示すように、各電子マネーサービス提供会社の記憶領域１０４ａ，１０４ｂとともに、カード管理会社の記憶領域１０４ｃとが設けられている構成は、前記実施例１と同一であるものの、該カード管理会社の記憶領域１０４ｃにおいては、アクセス権データとともに、当該携帯電話機５を利用する各遊技場（利用遊技場）に共通とされる残存金額記憶領域が１つのみ設けられ、該残存金額記憶領域に残存金額に対応付けて各遊技場毎に異なる照合用データが記憶されているとともに、該残存金額記憶領域に記憶される照合用データを取得するための取得先アドレス（ＵＲＬ）が、該取得先アドレス（ＵＲＬ）にて取得される照合用データが該当する遊技場の遊技場名と遊技場ＩＤとに対応付けて記憶される照合用データ取得先アドレス記憶領域が設けられている。
【０１６７】
つまり、残存金額記憶領域に、遊技場における予め定められた特定取引であるパチンコ玉の貸出に使用可能な残存金額と、該遊技場において当該残存金額を照合するための照合用データとが対応付けて記憶されており、該残存金額記憶領域が設けられているメモリ１０４によって本発明における特定取引用価値記憶部が形成されている。
【０１６８】
また、本実施例２の管理サーバ１４に記憶されている遊技場情報テーブルには、図１９（ｂ）に示すように、前述の実施例１における遊技場情報テーブルの構成に加えて、各遊技場において照合に使用される照合用データと、該照合用データを配信するための取得ページに割り当てられた取得先アドレス（割り当てアドレス；ＵＲＬ）とが記憶されており、各取得先アドレス（ＵＲＬ）へのアクセスに応じて、対応する照合用データを含む取得ページが配信されるようになっている。尚、本実施例に用いた照合用データは、図１９（ｂ）に示すように、その先頭部分の所定位置に、当該照合用データが該当する遊技場の遊技場ＩＤが含まれており、該照合用データから、該照合用データが該当する遊技場の遊技場ＩＤを特定できるようになっている。
【０１６９】
尚、本実施例２では、図２３に示すように、これら遊技場情報テーブルに記憶されている各遊技場の照合用データは、各遊技場に設置されたシステムコントローラ１１０に送信されて該システムコントローラ１１０に記憶されるとともに、該システムコントローラ１１０から各遊技場に設置されているカードユニット３に、例えば該システムコントローラ１１０の起動時等に配信されて、各カードユニット３（制御ユニット３２８）において記憶されている。
【０１７０】
以下に、本実施例２の携帯電話機５において実施される内部起動処理に関して、図２０に基づいて説明する。
【０１７１】
まず、遊技者（利用者）が携帯電話機５において、所定のＪＧアプリケーションの起動操作を実施すると、制御部５５は、メモリ部６０に記憶されているＪＧアプリケーションを読み出して実行し、該ＪＧアプリケーションに基づいて図１２（ａ）に類似するメインメニュー画面を表示部５６に表示する（Ｓｎ１）。
【０１７２】
このメインメニュー画面には、前記実施例１と同様に、「電子マネー入金」のメニューと、「残存金額確認」メニューと、「利用遊技場追加」のメニューと、「終了」のメニューとともに、実施例１の「残額移動」のメニューに替えて、使用遊技場を変更するための「使用遊技場変更」のメニューとが選択操作可能に設けられており、これらメインメニュー画面における各メニューの選択操作は、図２０に示すフロー図におけるＳｎ２、Ｓｎ３、Ｓｎ４＋、Ｓｎ５、Ｓｎ６の各ステップを繰返し順次実施することで、いずれかのメニュー操作があったことが検知される。
【０１７３】
このメインメニュー画面において、遊技者（利用者）が電子マネー額を使用して残存金額への入金を実施したい場合に、「電子マネー入金」のメニューを選択操作した場合には、該選択操作がＳｎ２において検知されてＳｎ８に進んで、制御部５５は、非接触ＩＣチップ１００のメモリ１０４に記憶されている各電子マネーサービス提供会社の残金データにアクセスして最も金額の大きな電子マネー残額を特定し、該特定した電子マネー残額の範囲内の金額メニューを選択可能に表示して、入金要求額の選択を遊技者（利用者）から受付ける。
【０１７４】
そして、遊技者（利用者）が選択可能とされた金額メニューから所望の金額、例えば３０００円を選択すると、制御部５５は、Ｓｎ９に進んで、選択を受付けた入金要求額の決済要求を、前記特定した電子マネー残額の電子マネーサービス会社の電子マネーアプリケーションに対して出力する。
【０１７５】
このＳｎ９における決済要求の出力を受けて制御部５５は、ＪＧアプリケーションによる処理を一時中断して、前記特定した電子マネー残額の電子マネーサービス会社の電子マネーアプリケーションをメモリ部６０から読み出して実行し、該電子マネーアプリケーションに基づいて、該決済要求に含まれる発行要求額を当該電子マネーサービス提供会社の残額から減算更新した後、完了通知をＪＧアプリケーションに対して出力する。
【０１７６】
この完了通知の出力に基づいて制御部５５は、一時中断していたＪＧアプリケーションによる処理を再開してＳｎ１０＋に進み、残存金額記憶領域に記憶されている残存金額（例えば１０００円）に入金要求額である３０００円を加算更新する。
【０１７７】
そしてＳｎ１１に進み、該残存金額記憶領域に記憶されている照合用データから特定される該照合用データが該当する入金対象の遊技場の遊技場ＩＤと端末ＩＤと入金後の残存金額と使用した電子マネーサービス会社の電子マネー会社ＩＤとを含む電子マネー入金通知を管理サーバ１４に対して送信した後、Ｓｎ１２に進み、前述の図１２（ｆ）と同様に、加算更新後の入金対象の遊技場の残存金額、例えば、４０００円を含む完了画面を、「確認」の選択入力がなされるか或いは所定期間が経過するまで表示部５６に表示した後、Ｓｎ１に戻る。
【０１７８】
尚、前記電子マネー入金通知を受信した管理サーバ１４においては、図１６に示すように、受信した電子マネー入金通知に含まれる端末ＩＤ並びに遊技場ＩＤに対応付けて端末別残存金額管理テーブルに記憶されている残存金額が、受信した電子マネー入金通知に含まれる残存金額に更新されるとともに、該遊技場ＩＤの遊技場に設置されているシステムコントローラ１１０に対して、該端末ＩＤと残存金額とを含む更新情報が送信されることで、該更新情報を受信したシステムコントローラ１１０において、残存金額管理テーブルにおいて該端末ＩＤに対応して記憶されている残存金額が、該更新情報に含まれる残存金額に更新されることで、該残存金額を当該遊技場において使用できるようになる。
【０１７９】
一方、メインメニュー画面（図１２（ａ）参照）において、遊技者（利用者）が残存金額を確認したい場合に「残存金額確認」メニューを選択操作した場合には、該選択操作がＳｎ３において検知されてＳｎ１４＋に進んで、制御部５５は、残存金額記憶領域に記憶されている残存金額（例えば４０００円）にアクセスして残存金額を特定するとともに、当該残存金額とともに残存金額記憶領域に記憶されている照合用データと照合用データ取得先記憶領域に記憶されているデータに基づき利用対象の遊技場名を特定して、これら特定した残存金額と遊技場名とを含む、前述の図１２（ｃ）と同様の確認画面を、「確認」の選択入力がなされるか或いは所定期間が経過するまで表示部５６に表示した後、Ｓｎ１に戻る。このように、遊技者（利用者）は、残存金額を携帯電話機５において確認することができる。
【０１８０】
一方、メインメニュー画面において、遊技者（利用者）が残存金額を使用する使用遊技場を変更したい場合に「使用遊技場変更」メニューを選択操作した場合には、該選択操作がＳｎ４＋において検知されてＳｎ１６＋に進んで、前述の照合用データ取得先アドレス記憶領域に記憶されている利用遊技場の内、残存金額記憶領域に記憶されている照合用データに該当する使用対象の遊技場を除く全ての遊技場の遊技場名を、変更先の遊技場一覧として、前述の図１３（ｃ）と同様に、遊技者（利用者）が選択可能に表示して変更先とする遊技場の選択を受付ける。
【０１８１】
つまり該Ｓｎ１６＋において、残存金額を使用する使用店舗の指定を受付けており、該Ｓｎ１６＋によって本発明における使用店舗受付け処理並びに使用店舗受付けステップが形成されている。
【０１８２】
そして、遊技者（利用者）が変更先とする遊技場、例えば「○×△渋谷店」を選択して「決定」を選択入力すると、制御部５５は、残存金額記憶領域に記憶されている照合用データに該当する使用対象の遊技場を変更元の遊技場として特定するとともに、該変更元の遊技場名と変更先の遊技場名とを表示した図示しない確認画面を表示して使用遊技場の変更の可否を遊技者（利用者）から受付けた後、Ｓｎ１７＋に進んで、受付けた変更先の遊技場の遊技場名に対応付けて照合用データ取得先アドレス記憶領域に記憶されている取得先アドレスにアクセスして、利用者から受付けた変更先の遊技場の照合用データを管理サーバ１４から取得し、該取得した照合用データに残存金額記憶領域の照合用データを更新する。
【０１８３】
つまり該Ｓｎ１７＋において、該携帯電話機５のメモリ１０４に記憶されている照合用データを前記Ｓｎ１６＋にて受付けた使用店舗の照合用データに更新しており、該Ｓｎ１７＋によって本発明における更新処理並びに更新ステップが形成されている。
【０１８４】
更には、該Ｓｎ１７＋において、前記Ｓｎ１６＋にて受付けた遊技場の照合用データを管理サーバ１４から取得しており、該Ｓｎ１７＋によって利用店舗照合情報取得処理並びに利用店舗照合情報取得ステップが形成されているとともに、本発明における更新処理並びに更新ステップとなる該Ｓｎ１７＋においては、該利用店舗照合情報取得処理（利用店舗照合情報取得ステップ）にて取得した照合用データに更新する。
【０１８５】
そしてＳｎ１８＋に進んで、当該携帯電話機５の端末ＩＤと変更先の遊技場の遊技場ＩＤとを含む更新通知を管理サーバ１４に送信した後、Ｓｎ１９に進み、前述の図１３（ｄ）に示す画面と同様に、変更後の遊技場名と残存金額とを含む完了画面を、「確認」の選択入力がなされるか或いは所定期間が経過するまで表示部５６に表示した後、Ｓｎ１に戻る。
【０１８６】
つまりは、該Ｓｎ１８＋において、メモリ部６０に記憶されている端末ＩＤと、更新処理（更新ステップ）となるＳｎ１７＋において照合用データが更新された前記使用店舗受付け処理（使用店舗受付けステップ）となるＳｎ１６＋にて受付けた使用店舗の店舗識別情報となる変更先の遊技場ＩＤとを少なくとも含む更新通知を管理サーバ１４に対して送信しており、該Ｓｎ１８＋によって本発明における更新通知送信処理並びに更新通知送信ステップが形成されている。
【０１８７】
尚、この更新通知を受信した管理サーバ１４においては、図２２に示すように、受信した更新通知に含まれる端末ＩＤおよび残存金額に対応付けて端末別残存金額管理テーブルに記憶されている遊技場ＩＤを、受信した更新通知に含まれる変更先の遊技場ＩＤに更新する。具体的には、これら遊技場ＩＤの変更を、受信した更新通知に含まれる端末ＩＤに対応付けて端末別残存金額管理テーブルに記憶されている残存金額並びに該残存金額が対応する遊技場ＩＤとから、変更する残存金額並びに変更元の遊技場の遊技場ＩＤを特定し、該残存金額の全額を減算する一方、該減算した全額の残存金額を受信した更新通知含まれる変更先の遊技場ＩＤ並びに端末ＩＤに対応付けて端末別残存金額管理テーブルに記憶されている残存金額に加算更新することで実施する。
【０１８８】
このように、本実施例では、図１９（ａ）に示すように、端末別残存金額管理テーブルにおいて各店舗識別情報である遊技場ＩＤに対応して残存金額を記憶するようにしているので、前述のように、変更元の遊技場の残存金額から全額の残存金額を減算するとともに、該全額の残存金額を変更先の遊技場の残存金額に加算することで、当該残存金額に対応する遊技場ＩＤの変更を実施するようにしているが、本発明はこれに限定されるものではなく、例えば、図２４に示すように、端末別残存金額管理テーブルを、各端末ＩＤに対応付けて、移動先または変更先の残存金額の使用対象とする１つの遊技場の遊技場ＩＤのみと残存金額とを記憶するようにした場合においては、更新通知の受信に基づいて、該更新通知に含まれる端末ＩＤに対応する遊技場ＩＤを、変更先の遊技場の遊技場ＩＤ（更新通知に含まれる遊技場ＩＤ）に更新するのみで良いことから、管理サーバ１４においては、受信した更新通知に含まれる端末ＩＤおよび残存金額に対応付けて端末別残存金額管理テーブルに記憶されている遊技場ＩＤを、受信した更新通知に含まれる変更先の遊技場ＩＤに更新する処理を実施すれば良いことになる。
【０１８９】
そして、管理サーバ１４は、更新前の遊技場ＩＤから特定される遊技場、つまりは変更元の遊技場に設置されているシステムコントローラ１１０に対して、受信した更新通知に含まれる端末ＩＤと残存金額の消去指示とを含む更新情報を送信し、更新後の遊技場ＩＤから特定される遊技場、つまりは変更先の遊技場に設置されているシステムコントローラ１１０に対して、受信した更新通知に含まれる端末ＩＤと加算更新後の残存金額とを含む更新情報を送信することで、変更元の遊技場のシステムコントローラ１１０においては、残存金額管理テーブルにおいて、受信した更新情報に含まれる端末ＩＤに対応して記憶されている残存金額が消去（「０」に更新）され、変更先の遊技場のシステムコントローラ１１０においては、残存金額管理テーブルにおいて受信した更新情報に含まれる端末ＩＤに対応して記憶されている残存金額が、受信した更新情報に含まれる残存金額に更新されることで、更新先の遊技場において該残存金額を使用できるようになる。
【０１９０】
一方、メインメニュー画面（図１３（ａ）参照）において、遊技者（利用者）が利用遊技場を追加したい場合に「利用遊技場追加」メニューを選択操作した場合には、該選択操作がＳｎ５において検知されてＳｎ２０に進んで、制御部５５は、前述の図１３（ｅ）に示す画面と同様に、新たに追加する利用遊技場を検索する方法として、「地域から探す」方法と、「店舗名から探す」方法の２つの検索方法を表示して、利用者から検索方法の選択を受付ける。
【０１９１】
この２つの検索方法が表示された検索方法選択受付け画面において、例えば利用者が「店舗名から探す」を選択した場合には、Ｓｎ２１に進んで、制御部５５は、前述の図１３（ｆ）に示す画面と同様に、遊技場名（店舗名）を検索するためのキーワードを入力するためのキーワード入力画面を表示部５６に表示してキーワードの入力を受付け、「検索」の選択操作に基づいてＳｎ２２に進み、前記Ｓｎ２１にて受付けた検索方法の種別である検索種別と、検索条件となる該受付けたキーワードを含む検索結果要求を管理サーバ１４に送信して検索結果一覧データを取得する。
【０１９２】
つまりは、該Ｓｎ２２において、各遊技場の照合用データを含む遊技場情報を管理する管理サーバ１４から残存金額を使用可能な遊技場の一覧情報を取得しており、該Ｓｎ２２によって本発明における一覧情報取得処理並びに一覧情報取得ステップとが形成されている。
【０１９３】
具体的には、検索結果要求の受信に基づいて管理サーバ１４においては、受信した検索結果要求に含まれる検索種別から検索方法が遊技場名（店舗名）検索であることとともに、検索結果要求に含まれる検索条件であるキーワードを特定して、該特定したキーワードを遊技場名に含む全ての遊技場名を、遊技場情報テーブルから抽出し、該抽出した遊技場名の一覧データを含む検索結果一覧データを返信する。
【０１９４】
尚、Ｓｎ２１において、「地域から探す」が選択された場合の処理は、前述の図１１において説明した処理内容と同様である。
【０１９５】
このようにして管理サーバ１４から取得に基づいて制御部５５は、前述の図１３（ｇ）に示す画面と同様に、該取得した検索結果一覧データに含まれる遊技場名を選択可能に一覧表示して追加する利用遊技場の選択を遊技者（利用者）から受付ける（Ｓｎ２３）。
【０１９６】
そして、検索結果一覧の表示により遊技者（利用者）は、一覧表示されている遊技場名に新たに利用遊技場として追加したい所望の遊技場が存在しない場合には「戻る」のメニューを選択して、前述した図１３（ｆ）と同様のキーワード入力画面を表示部５６に再度表示させて、より詳しいキーワードを再度入力することで、該再入力されたキーワードに基づく検索結果一覧が再度表示される一方、追加したい所望の遊技場が存在する場合には該追加したい所望の遊技場の遊技場名を選択した後、「決定」を選択入力する。
【０１９７】
この、利用者による遊技場の選択並びに「決定」の選択操作がなされた場合には、該選択された遊技場名と端末ＩＤとを含む取得先アドレス出力要求を管理サーバ１４に送信して、該管理サーバ１４から利用者にて選択された遊技場の遊技場ＩＤ並びに取得先アドレスを取得するとともに、該取得した遊技場ＩＤと取得先アドレスとを該遊技場名に対応付けて照合用データ取得先アドレス記憶領域に記憶して、該利用遊技場の照合用データを管理サーバ１４から取得可能とするとともに（Ｓｎ２４＋）、前述の図１３（ｈ）に示す画面と同様に、該選択された遊技場が利用遊技場として追加された旨のメッセージを含む完了画面を、「確認」の選択入力がなされるか或いは所定期間が経過するまで表示部５６に表示した後（Ｓｎ２５）、Ｓｎ１に戻る。
【０１９８】
つまりは、Ｓｎ２２で取得した一覧からＳｎ２３で選択された遊技場が一旦、照合用データ取得先記憶領域に記憶され、該一旦記憶された遊技場のなかから前述のＳｎ１６＋において、変更先の遊技場が選択されることから、Ｓｎ１６＋においては、店舗情報管理装置となる管理サーバ１４から取得した遊技場の一覧から遊技場の選択を受付けていることになる。
【０１９９】
すなわち、本実施例２の携帯電話機１２の制御部５５は、アプリケーションプログラムであるＪＧアプリに基づいて、各遊技場の照合用データを含む店舗情報を管理する管理サーバ１４から残存金額を使用可能な遊技場の一覧情報、つまりは、キーワードに基づく検索結果一覧を取得する一覧情報取得処理を実施し、取得した一覧情報に含まれる店舗のうちからＳｎ２３にて選択を受付けることで照合用データ取得先記憶領域に記憶された遊技場、つまり、管理サーバ１４０から取得した一覧情報に含まれる遊技場のうちからＳｎ１６＋おいて使用遊技場の指定を遊技者（利用者）から受付け、該受付けた遊技場の照合用データを、管理サーバ１４から取得する利用店舗照合情報取得処理となる前述のＳｎ１７＋をさらに実施するとともに、本発明における更新処理となるＳｎ１７＋においては、該Ｓｎ１７＋（利用店舗照合情報取得処理）にて取得した照合用データに、残存金額記憶領域の照合用データを更新している。
【０２００】
尚、本実施例では、このように、携帯電話機１２において、予め管理サーバ１４から遊技場の一覧を取得して、その一覧から選択された遊技場を一旦記憶しておき、該記憶しておいた遊技場の一覧から変更先の遊技場の選択を遊技者（利用者）から受付けるように、２段階的に変更先の遊技場が選択を受付けるようにしているが、本発明はこれに限定されるものではなく、例えば、Ｓｎ４＋による使用遊技場変更メニューの選択を検知した後に、新たに変更先の遊技場の一覧情報を、遊技者（利用者）から、前述した図１３に示すように遊技場名のキーワードを受付けたり、前述した図１１に示すように地域の指定を受付ける等により、該受付けた条件に該当する遊技場の一覧を管理サーバ１４から前述のようにして取得して表示部５６に選択可能に表示し、変更先の遊技場が選択を該取得した一覧の中から受付けるようにしても良い。
【０２０１】
このように本実施例２では、管理サーバ１４からの検索結果一覧データに含まれる遊技場名を選択可能に一覧表示して、利用者（遊技者）から追加する利用遊技場の選択を受付け、該受付けた追加する利用遊技場の照合用データを取得するための取得先アドレスを管理サーバ１４から取得して記憶しておき、利用者から使用対象の遊技場の変更を受付けたときに、予め取得されて記憶されている取得先アドレスに基づいて変更先の遊技場の照合用データを管理サーバ１４から取得するようにしているが、本発明はこれに限定されるものではなく、前述のＳｎ２２において検索結果一覧データとして、遊技場名とともに照合用データそのものを含む検索結果一覧データを管理サーバ１４から取得するようにしておき（Ｓｎ２２＋＋）、Ｓｎ２３にて利用者（遊技者）から受付けた追加する利用遊技場の照合用データを前述のＳｎ２４＋にて記憶し、再度管理サーバ１４にアクセスすることなく、Ｓｎ１７＋の更新処理において、該記憶した照合用データを使用するようにしても良い。
【０２０２】
尚、この場合においても、Ｓｎ２２＋＋で取得した一覧からＳｎ２３で選択された遊技場の照合用データが記憶され、該照合用データが記憶された遊技場のなかから前述のＳｎ１６＋において、変更先の遊技場が選択されることから、Ｓｎ１６＋においては、店舗情報管理装置となる管理サーバ１４から取得した遊技場の一覧から遊技場の選択を受付けていることになる。
【０２０３】
更に、この場合においても、予め照合用データを記憶しておくのではなく、例えば、Ｓｎ４＋による使用遊技場変更メニューの選択を検知した後に、新たに変更先の遊技場の一覧情報を、遊技者（利用者）から、前述した図１３に示すように遊技場名のキーワードを受付けたり、前述した図１１に示すように地域の指定を受付ける等により、該受付けた条件に該当する遊技場の一覧とその照合用データとを管理サーバ１４から前述のようにして取得して表示部５６に選択可能に表示し、変更先の遊技場が選択を該取得した一覧の中から受付け、該受付けた遊技場の照合用データに、残存金額記憶領域の照合用データを更新するようにしても良い。
【０２０４】
つまりは、各遊技場の照合用データを含む遊技場情報を管理する管理サーバ１４から残存金額を使用可能な遊技場の照合用データを含む一覧情報を取得する一覧情報取得処理（一覧情報取得ステップ）となるＳｎ２２＋＋を実施し、前記使用店舗受付け処理（使用店舗受付けステップ）となるＳｎ１６＋において、該取得した一覧情報に含まれる店舗のうちから前記使用店舗の指定を利用者（遊技者）から受付け、前記更新処理（更新ステップ）となるＳｎ１７＋においては前記一覧情報取得処理（一覧情報取得ステップ）となるＳｎ２２＋＋にて取得した一覧情報取に含まれる該指定を受付けた店舗の照合用データに更新するようにしても良い。
【０２０５】
また、本実施例２においては、前述のように取得先アドレスを取得しておき、使用遊技場の変更時において、利用者（遊技者）から受付けた変更先の遊技場の取得先アドレスに基づいて該変更先の遊技場の照合用データを管理サーバ１４から取得するようにしており、このようにすることは、携帯電話機５に各遊技場の照合用データが記憶されることにより、これら照合用データが不正に使用される危険性を低減できることから好ましいが、本発明はこれに限定されるものではなく、これら取得先アドレスに代えて照合用データ自体を携帯電話機５に記憶しておき、管理サーバ１４にアクセスすることなく、予め取得して記憶している該照合用データに、残存金額記憶領域の照合用データを更新するようにしても良い。
【０２０６】
次に、本実施例２において、前述のように、内部起動処理により携帯電話機５に記憶（入金）された残存金額が、本発明の特定取引装置となるカードユニット３における特定取引となるパチンコ玉の貸出に使用される流れについて、図２１並びに図２３に基づいて以下に説明する。
【０２０７】
まず、前述のようにして入金された残存金額を使用する場合には、遊技者（利用者）は、該遊技場に設置されているパチンコ機２のうち、遊技を実施したい所望のパチンコ機２に対応して設けられているカードユニット３の近距離通信部３３２に、所持している携帯電話機５を近接させる。
【０２０８】
この近接により外部カードリーダライタ３３０と非接触ＩＣチップ１００との間において、前述の近距離非接触通信が実施されて、相互認証が行われるとともに、該相互認証において認証が得られた場合に、カードユニット３の制御ユニット３２８は、該外部カードリーダライタ３３０を通じて、ＪＧアプリのアプリケーションＩＤ並びにアプリケーションの起動指示データ並びに当該遊技場の遊技場ＩＤを含む所定フォーマット形式の残存金額送信要求を非接触ＩＣチップ１００に送信する。
【０２０９】
この残存金額送信要求の受信に基づいてディジタル制御部１０３は、該受信した残存金額送信要求を一次記憶するとともに、該残存金額送信要求に含まれるアプリケーションＩＤから起動指示されたアプリケーションがＪＧアプリのアプリケーションであると特定し、該ＪＧアプリの起動要求を制御部５５に出力して制御部５５に該ＪＧアプリを実行させ、該ＪＧアプリを起動した制御部５５に対して、前記にて一次記憶している残存金額送信要求を出力する。
【０２１０】
このＪＧアプリを起動した制御部５５は、ディジタル制御部１０３から出力される各種要求を受信する図２１に示すＳ１の要求受付け処理を実施した後、Ｓ２においてカードユニット３から非接触ＩＣチップ１００を介して受信した要求、つまりは該要求受付け処理にてディジタル制御部１０３から出力された要求が残存金額送信要求であるか否かを判定し、受信した要求が残存金額送信要求である場合にはＳ２０に進んで、Ｓ２０、Ｓ２１、Ｓ４＋、Ｓ５、Ｓ６＋の残存金額送金処理を実施する一方、受信した要求が残存金額送信要求でない場合、具体的には返金処理要求を受信した場合にはＳ８に進んで、Ｓ８、Ｓ９＋、Ｓ１０の返金処理を実施する。
【０２１１】
受信した要求が残存金額送信要求である場合にはＳ２からＳ２０に進んで、残存金額記憶領域に記憶されている照合用データを含む照合要求を、非接触ＩＣチップ１００を介してカードユニット３に送信する照合要求送信処理を実施する。
【０２１２】
つまり該Ｓ２０において、前記特定取引用価値記憶部となるメモリ１０４に記憶されている照合用データを含む照合要求を、前記特定取引となるパチンコ玉の貸出を行うために遊技場に設置されたカードユニット３に送信しており、該Ｓ２０によって本発明における照合要求送信処理並びに照合要求送信ステップが形成されている。
【０２１３】
この照合要求の受信（取得）に基づいて、カードユニット３の制御ユニット３２８は、図２３に示すように、該受信（所得）した照合要求に含まれる照合用データと、前述のように、システムコントローラ１１０から配信されて記憶されている当該遊技場の照合用データとを照合し、その照合結果、具体的には照合用データが一致した場合には照合ＯＫを、照合用データが一致しない場合には照合ＮＧを携帯電話機５に対して返信する。
【０２１４】
まず照合ＮＧを、非接触ＩＣチップ１００を通じて受信した携帯電話機５の制御部５５は、Ｓ２１からＳ１３＋に進んで、エラーが発生したことを、使用対象の遊技場が異なる可能性のあることを示すメッセージを表示部５６に表示して利用者（遊技者）に報知した後、処理を終了する。
【０２１５】
一方、照合ＯＫを、非接触ＩＣチップ１００を通じて受信した携帯電話機５の制御部５５は、Ｓ２１からＳ４＋に進んで、残存金額記憶領域に記憶されている残存金額と当該携帯電話機５の端末ＩＤとを含む可使要求を、非接触ＩＣチップ１００を通じてカードユニット３に対して送信する。
【０２１６】
この端末ＩＤと残存金額とを含む可使要求の受信（取得）に基づいて、カードユニット３の制御ユニット３２８は、図２３に示すように、該受信（所得）した端末ＩＤと残存金額とを含む使用許諾要求をシステムコントローラ１１０に対して送信する。
【０２１７】
この使用許諾要求の受信に応じてシステムコントローラ１１０は、受信した使用許諾要求に含まれる残存金額が、残存金額管理テーブルにおいて、該受信した使用許諾要求に含まれる端末ＩＤに対応付けて記憶されている残存金額と一致するか否かを照合し、残存金額と一致して認証ＯＫである場合において、該残存金額のカードユニット３における使用を許諾する使用許諾を、使用許諾要求の送信元のカードユニット３（制御ユニット３２８）に返信し、認証ＮＧである場合においては使用不可を返信する。
【０２１８】
この使用許諾要求の受信に基づいて制御ユニット３２８は、認証ＯＫを携帯電話機５に対して返信するとともに、該残存金額を表示して該残存金額を使用するための貸出操作または該残存金額を返金するための返却操作を受付け可能とする。尚、使用不可を受信した場合には、残存金額を表示することなく認証ＮＧを携帯電話機５に対して返信する。
【０２１９】
この認証ＯＫを、非接触ＩＣチップ１００を通じて受信した携帯電話機５の制御部５５は、Ｓ５からＳ６＋に進んで、残存金額記憶領域に記憶している残存金額から前記Ｓ４＋において送信した残存金額を減算更新、つまり残存金額を「０」に更新するとともに、該残存金額記憶領域の残存金額への電子マネー入金を禁止した後、処理を終了する一方、認証ＮＧを受信した場合には、Ｓ５からＳ７に進んで、残存金額の照合エラーを表示部５６に表示して、該残存金額を利用できないことを報知するエラー処理を実施する。
【０２２０】
つまり該Ｓ６＋において、前記Ｓ２０において送信した照合要求に対してカードユニット３から受信した照合結果が正規（照合ＯＫ）であることに応じて該カードユニット３における特定取引であるパチンコ玉の貸出に使用される残存金額をメモリ１０４の残存金額記憶領域に記憶されている残存金額から減算しており、該Ｓ６＋によって本発明における減算処理並びに減算ステップとが形成されている。尚、ここで言う、「カードユニット３（特定取引装置）におけるパチンコ玉の貸出（特定取引）に使用される残存金額（特定取引用価値の大きさ）を減算」とは、本実施例のように、「カードユニット３（特定取引装置）におけるパチンコ玉の貸出（特定取引）に使用される予定の残存金額（特定取引用価値の大きさ）を減算」することも含むものである。
【０２２１】
そして利用者（遊技者）は、前述のようにして受付け可能とされた貸出操作、具体的には前述したパチンコ機２に設けられている貸出ボタンを操作することで、カードユニット３において前述の貸出処理が実施されることで、単位使用額に相当するパチンコ玉数の貸出が対応するパチンコ機２において実施されることで、利用者（遊技者）は、カードユニット３が対応するパチンコ機２において遊技を開始することができる。
【０２２２】
尚、該貸出処理においては、図２３に示すように、カードユニット３（制御ユニット３２８）からシステムコントローラ１１０に対して、該残存金額とともに受信した携帯電話機５の端末ＩＤと使用金額（単位使用額）とを含む貸出完了通知が送信されることで、該システムコントローラ１１０において、残存金額管理テーブルに該受信した貸出完了通知に含まれる端末ＩＤに対応付けて記憶されている残存金額から、該受信した貸出完了通知に含まれる使用金額（単位使用額）が減算更新される。
【０２２３】
そして、利用者（遊技者）が遊技を終了したい場合には、所定の返却操作、具体的には前述したパチンコ機２に設けられている返却ボタンを操作することで、カードユニット３において前述の返金処理が実施される。
【０２２４】
具体的に返金処理においては、前記返却操作の実施後において、遊技者（利用者）が所持している携帯電話機５を近距離通信部３３２に近接させることにより、前記実施例１の場合と同じ所定フォーマット形式の返金処理要求が非接触ＩＣチップ１００に送信される。
【０２２５】
この返金処理要求の受信に基づいてディジタル制御部１０３は、該受信した返金処理要求を一次記憶するとともに、該返金処理要求に含まれるアプリケーションＩＤから起動指示されたアプリケーションがＪＧアプリのアプリケーションであると特定し、該ＪＧアプリの起動要求を制御部５５に出力して制御部５５に該ＪＧアプリを実行させ、該ＪＧアプリを起動した制御部５５に対して、前記にて一次記憶している返金処理要求を出力する。
【０２２６】
このＪＧアプリを起動した制御部５５は、図２１に示す外部起動処理におけるＳ１の前述した要求受付け処理を実施した後、Ｓ２においてカードユニット３から受信した要求が残存金額送信要求ではないと判定してＳ８に進み、該受信した返金処理要求に含まれる端末ＩＤとメモリ部６０に記憶されている自己の端末ＩＤとを比較して、双方の端末ＩＤが一致するか否かを判定する判定処理を実施する。
【０２２７】
そして、該Ｓ８の判定処理における判定において双方の端末ＩＤが一致することを条件にＳ９に進んで、該Ｓ９以降の各ステップを実施するとともに、双方の端末ＩＤが一致しない場合には、Ｓ１１へ進んで、非接触ＩＣチップ１００を通じてカードユニット３に端末ＩＤ不一致エラーを送信して処理を終了する。この端末ＩＤ不一致エラーを受信したカードユニット３の制御ユニット３２８は、残存金額が送信された携帯電話機５と返金する携帯電話機とが異なるために返金が不可であることを示すメッセージを表示部３１２に表示して処理を中止する。これにより、遊技に未使用の残存金額が他人の携帯電話機５に不正に返却されることを防止できる。
【０２２８】
一方、Ｓ８の判定処理において双方の端末ＩＤが一致する場合には、Ｓ９＋に進み、残存金額記憶領域に記憶されている残存金額（具体的には「０」）を、受信した返金処理要求に含まれる残存金額に更新した後、Ｓ１０に進んで残存金額の更新が完了した旨を含む完了通知をカードユニット３に送信（返信）するとともに、前述のＳ６＋にて実施した当該残存金額への電子マネー入金の禁止を解除して処理を終了する。
【０２２９】
そして、該完了通知を受信したカードユニット３（制御ユニット３２８）は、図２３に示すように、システムコントローラ１１０に対して、返金処理要求に含まれる端末ＩＤを含む返金通知を送信することで、該システムコントローラ１１０においては、残存金額管理テーブルに該受信した返金通知に含まれる端末ＩＤに対応付けて記憶されている残存金額と当該端末ＩＤとを含む更新要求が、管理サーバ１４に対して送信される。
【０２３０】
そして、該更新要求の受信に応じて管理サーバ１４においては、端末別残存金額管理テーブルに受信した更新要求に含まれる遊技場ＩＤと端末ＩＤとに対応付けて記憶されている残存金額が、受信した残存金額に更新されることで、携帯電話機５において残存金額記憶領域に記憶されている残存金額と、端末別残存金額管理テーブルに遊技場ＩＤと端末ＩＤとに対応付けて記憶されている残存金額とが一致するように管理される。尚、システムコントローラ１１０からの更新要求は、返金通知の受信時のみならず、カードユニット３における残存金額が「０」となった場合においても管理サーバ１４に対して送信されて、該端末別残存金額管理テーブルに記憶されている残存金額が「０」に更新される。
【０２３１】
以上、本実施例２によれば、利用者（遊技者）は、店舗である遊技場に到着する以前に携帯端末装置である携帯電話機５において、該携帯電話機５に記憶されている照合情報となる照合用データを、指定した使用対象の遊技場（店舗）の照合用データに更新させることができるので、遊技場は更新機を設置する設置コストを負担することなく、且つ、遊技場到着から特定取引となるパチンコ玉の貸出までの時間を短縮することができる。
【０２３２】
また、本実施例２によれば、特定取引用価値である残存金額を使用可能な遊技場に関する情報、具体的には遊技場名や所在地等の情報を携帯電話機５側に記憶しておく必要がなく、これらの情報の記憶容量を削減できる。さらには、残存金額を記憶可能な新規の遊技場を追加する場合等においては、管理サーバ１４０側においてのみ、新規の遊技場を追加するのみで良く、これらの遊技場を追加等の処理を容易に実施することができる。
【０２３３】
また、本実施例２によれば、更新通知を中央管理装置となる管理サーバ１４に対して送信することで、更新処理となる前述のステップＳｎ１７＋の処理後の新たな残存金額を含む更新情報が、各店舗内管理装置となるシステムコントローラ１１０に送信され、各遊技場において携帯電話機５を特定取引となるパチンコ玉の貸出に使用する際に、該システムコントローラ１１０において残存金額の照合等が実施可能となり、よってこれら残存金額の不正を極力防止することができる。
【０２３４】
以上、本発明の実施例を図面により説明してきたが、具体的な構成はこれら実施例に限られるものではなく、本発明の要旨を逸脱しない範囲における変更や追加があっても本発明に含まれる。
【０２３５】
例えば、前記実施例では、管理サーバ１４において、携帯電話機５からの移動通知または更新通知の受信に基づいて、端末別残存金額管理テーブルにおいて、移動元（変更元）の遊技場の残存金額を全て減算するとともに、移送先（変更先）の遊技場の残存金額に移動元（変更元）の遊技場の残存金額を全て加算するようにしているが、例えば、図２４に示すように、端末別残存金額管理テーブルを、各端末ＩＤに対応付けて、移動先または変更先の残存金額の使用対象とする１つの遊技場の遊技場ＩＤのみと残存金額とを記憶するようにした場合においては、移動通知または更新通知の受信に基づいて、該移動通知または更新通知に含まれる端末ＩＤに対応する遊技場ＩＤを、移動先または変更先の遊技場の遊技場ＩＤに更新することで、移動元（変更元）の遊技場の残存金額を全て減算するとともに移送先（変更先）の遊技場の残存金額に移動元（変更元）の遊技場の残存金額を全て加算することを同等の処理を実施することができることから、このような構成の端末別残存金額管理テーブルにおいては、遊技場ＩＤを更新することも、本発明における所定の大きさの特定取引用価値の減算と、該所定の大きさの特定取引用価値を受信した移動通知（変更通知）に含まれる携帯端末識別情報並びに店舗識別情報に対応付けて管理している特定取引用価値の大きさに加算することに該当する。
【０２３６】
また、前記実施例では、携帯電話機５に記憶されている残存金額の全額をカードユニット３に送信しているが、本発明はこれに限定されるものではなく、これらカードユニット３に送信する残存金額を、利用者（遊技者）から、携帯電話機５或いはカードユニット３において受付けて、該受付けた残存金額をカードユニット３に送信するようにしても良い。
【０２３７】
また、前記実施例では、単位使用額よりも大きな残存金額をカードユニット３に送信しておき、遊技に使用されなかった未使用の残存金額を携帯電話機５に返金するようにしているが、本発明はこれに限定されるものではなく、これら未使用の残存金額がカードユニット３に存在しないようにするために、利用者（遊技者）が、貸出処理毎に携帯電話機５を近距離通信部３３２に近接させることで、その都度、単位使用額が残存金額から減算されるようにしても良い。尚、この場合には、カードユニット３において、遊技者（利用者）の貸出操作によらず貸出処理を自動的に実施するようにしても良い。
【０２３８】
また、前記実施例１では、移動する所定の大きさの特定取引用価値として、残存金額の全額を移動するようにしているが、本発明はこれに限定されるものではなく、これら移動する残存金額の大きさを、利用者（遊技者）から受付けて、該受付けた金額の残存金額を移動するようにしても良い。
【０２３９】
また、前記実施例１では、各遊技場の記憶領域に記憶されている残存金額に対して電子マネー入金を実施できることから、複数の記憶領域に残存金額が存在し得るので、移動先の遊技場とともに移動元の遊技場を利用者（遊技者）から受付けているが、本発明はこれに限定されるものではなく、例えば、電子マネー入金を使用対象とされている１つの遊技場の残存金額にのみ実施でき、且つ、残存金額の移動においては、残存金額の全額を移動するようにする場合には、使用対象とされている１つの遊技場にのみ残存金額が存在するようになるので、このような場合には、移動元の遊技場を残存金額が存在する遊技場から一義的に特定できるので、利用者（遊技者）から移動元の遊技場の指定を受付けないようにしても良い。尚、この場合においては、管理サーバ１４においても、移動元の遊技場を一義的に特定できるので、携帯電話機１２から管理サーバ１４に送信される移動通知にも、移動元の遊技場の遊技場ＩＤを含まないようにしても良い。
【０２４０】
また、前記実施例では、携帯電話機５の残存金額への入金を、当該携帯電話機５の電子マネーからの電子マネー入金についてのみ説明したが、本発明はこれに限定されるものではなく、これら残存金額への入金を入金機において現金から入金しても良いし、更には、カードユニット３に送信した残存金額に、該カードユニット３において現金による追加入金を実施した後、該入金後の残存金額を携帯電話機５に返金させることで、間接的に残存金額への現金による追加入金を実施できるようにしても良い。
【０２４１】
また、前記実施例では、中央管理装置と店舗情報管理装置とを管理サーバ１４にて形成しているが、本発明はこれに限定されるものではなく、これら中央管理装置と店舗情報管理装置とを個別のコンピュータにて形成するようにしても良い。
【０２４２】
また、実施例では、携帯端末装置として通話機能を備える携帯電話機５を例示しているが、本発明はこれに限定されるものではなく、これら携帯端末装置としては、携帯電話機５のデータ通信機能のみを有する通信ユニットを装着したＰＤＡ（Personal Digital Assistants ）端末であっても良い。
【０２４３】
また、前記実施例では、非接触ＩＣチップ１００を携帯電話機５に内蔵する形態を例示しているが、本発明はこれに限定されるものではなく、携帯電話機５に着脱可能とされたこれら非接触ＩＣチップ１００を有する非接触ＩＣカードを、携帯電話機５に装着したものとしても良い。
【０２４４】
また、前記実施例では、特定取引装置であるカードユニット３と携帯電話機５との通信を、非接触ＩＣチップ１００が有する無線による非接触の近距離通信機能にて実施するようにしているが、本発明はこれに限定されるものではなく、これら特定取引装置との通信を、赤外線通信や、通信データをシンボル化した２次元バーコードを特定取引装置の表示部や携帯電話機５の表示部５６に表示してデータの授受を実施するようにしても良い。
【０２４５】
また、前記実施例では、ＪＧアプリをインターネット網を介してダウンロードするようにしているが、本発明はこれに限定されるものではなく、これらＪＧアプリを特定取引装置であるカードユニット３から配信するようにしても良いし、或いは、携帯電話機５に装着可能なメモリカード等の記憶媒体にてＪＧアプリを提供するようにしても良い。
【０２４６】
また、前記実施例では、一度ダウンロードしたＪＧアプリを無期限にて使用することができるようにしているが、本発明はこれに限定されるものではなく、例えば、前記設定データにＪＧアプリの有効期限、例えば１日や１週間の期限を記憶しておき、該有効期限内においてのみＪＧアプリを使用できるようにしても良い。
【０２４７】
また、前記実施例では、制御部５５が実行する各種のアプリケーションプログラムをメモリ部６０に記憶するようにしているが、本発明はこれに限定されるものではなく、これら各種のアプリケーションプログラムを、非接触ＩＣチップ１００のメモリ１０４の共通領域に記憶するようにしても良い。
【０２４８】
また、前記実施例では、電子マネー入金に使用する電子マネーを、最も残額の大きな電子マネーサービス会社の電子マネー額を使用するようにしているが、本発明はこれに限定されるものではなく、これら使用する電子マネーサービス会社を、利用者（遊技者）から受付けるようにしても良い。
【０２４９】
また、前記実施例では、店舗を遊技場とし、特定取引をパチンコ玉の貸出としているが、本発明はこれに限定されるものではなく、例えば、店舗をカジノや競馬場として、特定取引をカジノにおけるチップやメダルの購入、或いは競馬場における勝馬投票券（馬券）の購入等であっても良い。
【０２５０】
また、前記実施例では、特定取引用価値の形態を残存金額としたが、本発明はこれに限定されるものではなく、これら特定取引用価値の形態は、例えば１００円を１単位とする度数やポイント等としても良く、その形態は任意に選択すれば良い。
【０２５１】
また、前記実施例では、ＪＧアプリも単一であり、且つその実行部も制御部５５で単一としているが、本発明はこれに限定されるものではなく、単一のアプリケーションプログラムおよび単一の制御部で行うものに限らず、例えば、特定取引装置となるカードユニット３との特定取引に関する処理を実施するアプリケーションプログラムと、残存金額の移動または更新のためのアプリケーションプログラムとを、個別のアプリケーションプログラムとし、いずれか一方のアプリケーションプログラムを制御部５５で実施し、他方のアプリケーションプログラムを、例えば非接触ＩＣチップ１００のデジタル制御部１０３にて実施するようにしても良い。
【０２５２】
また、前記各実施例では、図１５並びに図２１のＳ５に示すように、特定取引装置となるカードユニット３からの認証ＯＫの受信、つまりは、残存金額がカードユニット３において確実に使用可能になったことに基づいて、残存金額の減算更新を携帯電話機１２において実施するようにしているが、本発明はこれに限定されるものではなく、これらカードユニット３からの認証ＯＫの判定を実施することなく、Ｓ６またはＳ６＋における残存金額の減算更新を実施するようにしても良い。
【０２５３】
具体的には、図１５においては、Ｓ３で「Ｙｅｓ」が判定された後またはＳ４の後に減算を実施し、図２１においては、Ｓ２１で「Ｙｅｓ」が判定された後またはＳ４＋の後に減算を実施すれば良い。
【０２５４】
前記実施例における各要素は、本発明に対して以下のように対応している。
本発明の請求項１は、複数の店舗（遊技場）について、各店舗を個々に識別可能な店舗識別情報（遊技場ＩＤ）に対応付けて、当該店舗における予め定められた特定取引（パチンコ玉の貸出；玉貸）に使用可能な特定取引用価値の大きさ（残存金額）を記憶するための特定取引用価値記憶部（メモリ１０４）と、前記特定取引を行うために各店舗に設置された特定取引装置（カードユニット３）から当該特定取引装置が設置されている店舗の店舗識別情報を取得する店舗識別情報取得処理（Ｓ１；要求受付け処理）と、少なくとも該店舗識別情報を取得したことに応じて該特定取引装置における特定取引に使用される特定取引用価値の大きさを前記取得した店舗識別情報に対応付けて前記特定取引用価値記憶部に記憶されている特定取引用価値の大きさから減算する減算処理（Ｓ６）と、前記特定取引用価値記憶部に記憶されている複数の店舗識別情報のうちの１の店舗識別情報（移動元の遊技場ＩＤ）に対応付けて記憶されている特定取引用価値の大きさの範囲内の所定の大きさ（全額）の特定取引用価値を減算するとともに、該所定の大きさの特定取引用価値を、他の店舗識別情報（移動先の遊技場ＩＤ）に対応付けて前記特定取引用価値記憶部に記憶されている特定取引用価値の大きさに加算する特定取引用価値移動処理（Ｓｎ１７）と、をアプリケーションプログラム（ＪＧアプリ）に基づいて実行するプログラム実行部（制御部５５）と、を備える。
【０２５５】
本発明の請求項２は、前記プログラム実行部（制御部５５）は、前記アプリケーションプログラム（ＪＧアプリ）に基づいて、各店舗（遊技場）の店舗識別情報（遊技場ＩＤ）を含む店舗情報（遊技場情報）を管理する店舗情報管理装置（管理サーバ１４）から前記特定取引用価値（残存金額）を記憶可能な店舗の一覧情報を取得する一覧情報取得処理（Ｓｎ２２）と、該取得した一覧情報に含まれる店舗のうち、前記特定取引用価値の記憶対象とする店舗の指定を利用者から受付ける利用店舗受付け処理（Ｓｎ２３）と、該指定を受付けた店舗の店舗識別情報を前記店舗情報管理装置から取得する利用店舗識別情報取得処理（Ｓｎ２４）と、該取得した店舗識別情報に対応付けて前記特定取引用価値の大きさを記憶するための記憶領域を前記特定取引用価値記憶部に設定する利用店舗設定処理（Ｓｎ２４）とを、さらに実施する。
【０２５６】
本発明の請求項３は、前記プログラム実行部（制御部５５）は、前記アプリケーションプログラム（ＪＧアプリ）に基づいて、各店舗（遊技場）の店舗識別情報（遊技場ＩＤ）を含む店舗情報（遊技場情報）を管理する店舗情報管理装置（管理サーバ１４）から前記特定取引用価値（残存金額）を記憶可能な店舗の店舗識別情報を含む一覧情報を取得する一覧情報取得処理（Ｓｎ２２＋）と、該取得した一覧情報に含まれる店舗のうち、前記特定取引用価値の記憶対象とする店舗の指定を利用者から受付ける利用店舗受付け処理（Ｓｎ２３）と、前記取得した一覧情報取に含まれる該指定を受付けた店舗の店舗識別情報に対応付けて前記特定取引用価値の大きさを記憶するための記憶領域を前記特定取引用価値記憶部（メモリ１０４）に設定する利用店舗設定処理（Ｓｎ２４）とを、さらに実施する。
【０２５７】
本発明の請求項４は、各携帯端末装置（携帯電話機５）に固有に付与された携帯端末識別情報（端末ＩＤ）に対応付けて、当該携帯端末識別情報の携帯端末装置において対応付けて記憶されている店舗識別情報（遊技場ＩＤ）および特定取引用価値の大きさ（残存金額）を管理するとともに、各店舗（遊技場）に設置されて当該店舗において使用可能な特定取引用価値の大きさを該特定取引用価値の大きさが記憶された携帯端末装置の携帯端末識別情報に対応付けて管理する店舗内管理装置（システムコントローラ１１０）に対して、前記携帯端末識別情報並びに前記特定取引用価値移動処理（Ｓｎ１７）後の新たな特定取引用価値の大きさを含む更新情報を送信する中央管理装置（管理サーバ１４）とデータ通信可能とされるとともに、前記携帯端末識別情報を記憶するための携帯端末識別情報記憶部（メモリ部６０）を備え、前記プログラム実行部（制御部５５）は、前記アプリケーションプログラム（ＪＧアプリ）に基づいて、前記携帯端末識別情報記憶部に記憶されている携帯端末識別情報と、前記特定取引用価値移動処理（Ｓｎ１７）における他の店舗識別情報（移動先の遊技場ＩＤ）とを少なくとも含む移動通知を前記中央管理装置に対して送信する移動通知送信処理（Ｓｎ１８）を、さらに実施する。
【０２５８】
本発明の請求項５は、店舗（遊技場）における予め定められた特定取引（パチンコ玉の貸出；玉貸）に使用可能な特定取引用価値の大きさ（残存金額）と、該店舗において当該特定取引用価値を照合するための照合情報（照合用データ）とを対応付けて記憶するための特定取引用価値記憶部（メモリ１０４）と、前記特定取引用価値記憶部に記憶されている照合情報を含む照合要求を、前記特定取引を行うために前記店舗に設置された特定取引装置（カードユニット３）に送信する照合要求送信処理（Ｓ２０）と、該送信した照合要求に対して前記特定取引装置から受信した照合結果が正規（照合ＯＫ）であることに応じて該特定取引装置における特定取引に使用される特定取引用価値の大きさを前記特定取引用価値記憶部に記憶されている特定取引用価値の大きさから減算する減算処理（Ｓ６＋）と、前記特定取引用価値を使用する使用店舗の指定を受付ける使用店舗受付け処理（Ｓｎ１６＋）と、前記特定取引用価値記憶部に記憶されている照合情報を前記指定を受付けた使用店舗の照合情報に更新する更新処理（Ｓｎ１７＋）とをアプリケーションプログラム（ＪＧアプリ）に基づいて実行するプログラム実行部（制御部５５）と、を備える。
【０２５９】
本発明の請求項６は、前記プログラム実行部（制御部５５）は、前記アプリケーションプログラム（ＪＧアプリ）に基づいて、各店舗（遊技場）の照合情報（照合用データ）を含む店舗情報（遊技場情報）を管理する店舗情報管理装置（管理サーバ１４）から前記特定取引用価値（残存金額）を使用可能な店舗の一覧情報を取得する一覧情報取得処理（Ｓｎ２２）を実施し、前記使用店舗受付け処理（Ｓｎ１６＋）において該取得した一覧情報に含まれる店舗のうちから前記使用店舗の指定を利用者から受付け、該受付けた店舗の照合情報を前記店舗情報管理装置から取得する利用店舗照合情報取得処理（Ｓｎ１７＋）をさらに実施するとともに、前記更新処理（Ｓｎ１７＋）においては該利用店舗照合情報取得処理にて取得した照合情報に更新する。
【０２６０】
本発明の請求項７は、前記プログラム実行部（制御部５５）は、前記アプリケーションプログラム（ＪＧアプリ）に基づいて、各店舗（遊技場）の照合情報（照合用データ）を含む店舗情報（遊技場情報）を管理する店舗情報管理装置（管理サーバ１４）から前記特定取引用価値（残存金額）を使用可能な店舗の照合情報を含む一覧情報を取得する一覧情報取得処理（Ｓｎ２２＋＋）を実施し、前記使用店舗受付け処理（Ｓｎ１６＋）において該取得した一覧情報に含まれる店舗のうちから前記使用店舗の指定を利用者から受付け、前記更新処理（Ｓｎ１７＋）においては前記一覧情報取得処理にて取得した一覧情報に含まれる該指定を受付けた店舗の照合情報に更新する。
【０２６１】
本発明の請求項８は、各携帯端末装置（携帯電話機５）に固有に付与された携帯端末識別情報（端末ＩＤ）に対応付けて、当該携帯端末識別情報の携帯端末装置において対応付けて記憶されている特定取引用価値の大きさ（残存金額）および照合情報（照合用データ）に対応する店舗（遊技場）を個々に識別可能な店舗識別情報（遊技場ＩＤ）を管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置（システムコントローラ１１０）に対して、前記携帯端末識別情報並びに前記更新処理（Ｓｎ１７＋）後の新たな特定取引用価値の大きさを含む更新情報を送信する中央管理装置（管理サーバ１４）とデータ通信可能とされるとともに、前記携帯端末識別情報を記憶するための携帯端末識別情報記憶部（メモリ部６０）を備え、前記プログラム実行部（制御部５５）は、前記アプリケーションプログラム（ＪＧアプリ）に基づいて、前記携帯端末識別情報記憶部に記憶されている携帯端末識別情報と、前記更新処理において照合情報が更新された前記使用店舗受付け処理にて受付けた使用店舗の店舗識別情報（変更先の遊技場ＩＤ）とを少なくとも含む更新通知を前記中央管理装置に対して送信する更新通知送信処理（Ｓｎ１８＋）を、さらに実施する。
【０２６２】
本発明の請求項９は、複数の店舗（遊技場）について、各店舗を個々に識別可能な店舗識別情報（遊技場ＩＤ）に対応付けて、当該店舗における予め定められた特定取引（玉貸）に使用可能な特定取引用価値の大きさ（残存金額）が記憶された携帯端末装置（携帯電話機５）において実行され、該携帯端末装置に記憶されている特定取引用価値を前記特定取引に使用するためのアプリケーションプログラムであって、前記特定取引を行うために各店舗に設置された特定取引装置（カードユニット３）から当該特定取引装置が設置されている店舗を個々に識別可能な店舗識別情報を取得する店舗識別情報取得ステップ（Ｓ１）と、少なくとも該店舗識別情報を取得したことに応じて該特定取引装置における特定取引に使用される特定取引用価値の大きさを前記取得した店舗識別情報に対応付けて該携帯端末装置に記憶されている特定取引用価値の大きさから減算する減算ステップ（Ｓ６）と、該携帯端末装置に記憶されている複数の店舗識別情報のうちの１の店舗識別情報（移動元の遊技場ＩＤ）に対応付けて記憶されている特定取引用価値の大きさの範囲内の所定の大きさ（全額）の特定取引用価値を減算するとともに、該所定の大きさの特定取引用価値を、他の店舗識別情報（移動先の遊技場ＩＤ）に対応付けて該携帯端末装置に記憶されている特定取引用価値の大きさに加算する特定取引用価値移動ステップ（Ｓｎ１７）と、を含む。
【０２６３】
本発明の請求項１０は、各店舗（遊技場）の店舗識別情報（遊技場ＩＤ）を含む店舗情報（遊技場情報）を管理する店舗情報管理装置（管理サーバ１４）から前記特定取引用価値（残存金額）を記憶可能な店舗の一覧情報を取得する一覧情報取得ステップ（Ｓｎ２２）と、該一覧情報取得ステップにて取得した一覧情報に含まれる店舗のうち、前記特定取引用価値の記憶対象とする店舗の指定を利用者から受付ける利用店舗受付けステップ（Ｓｎ２３）と、該利用店舗受付けステップにて指定を受付けた店舗の店舗識別情報を前記店舗情報管理装置から取得する利用店舗識別情報取得ステップ（Ｓｎ２４）と、該利用店舗識別情報取得ステップにて取得した店舗識別情報に対応付けて前記特定取引用価値の大きさを記憶するための記憶領域を該携帯端末装置に設定する利用店舗設定ステップ（Ｓｎ２４）と、を含む。
【０２６４】
本発明の請求項１１は、各店舗（遊技場）の店舗識別情報（遊技場ＩＤ）を含む店舗情報（遊技場情報）を管理する店舗情報管理装置（管理サーバ１４）から前記特定取引用価値（残存金額）を記憶可能な店舗の店舗識別情報を含む一覧情報を取得する一覧情報取得ステップ（Ｓｎ２２＋）と、該一覧情報取得ステップにて取得した一覧情報に含まれる店舗のうち、前記特定取引用価値の記憶対象とする店舗の指定を利用者から受付ける利用店舗受付けステップ（Ｓｎ２３）と、前記取得した一覧情報取に含まれる該指定を受付けた店舗の店舗識別情報に対応付けて前記特定取引用価値の大きさを記憶するための記憶領域を該携帯端末装置（携帯電話機５）に設定する利用店舗設定ステップ（Ｓｎ２４）と、を含む。
【０２６５】
本発明の請求項１２は、各携帯端末装置（携帯電話機５）に固有に付与された携帯端末識別情報（端末ＩＤ）に対応付けて、当該携帯端末識別情報の携帯端末装置において対応付けて記憶されている店舗識別情報（遊技場ＩＤ）および特定取引用価値の大きさ（残存金額）を管理するとともに、各店舗（遊技場）に設置されて当該店舗において使用可能な特定取引用価値の大きさを該特定取引用価値の大きさが記憶された携帯端末装置の携帯端末識別情報に対応付けて管理する店舗内管理装置（システムコントローラ１１０）に対して、前記携帯端末識別情報並びに前記特定取引用価値移動ステップ（Ｓｎ１７）後の新たな特定取引用価値の大きさを含む更新情報を送信する中央管理装置（管理サーバ１４）に対し、該携帯端末装置に記憶されている携帯端末識別情報と、前記特定取引用価値移動ステップにおける他の店舗識別情報（移動先の遊技場ＩＤ）とを少なくとも含む移動通知を送信する移動通知送信ステップ（Ｓｎ１８）を含む。
【０２６６】
本発明の請求項１３は、店舗（遊技場）における予め定められた特定取引（玉貸）に使用可能な特定取引用価値の大きさ（残存金額）と、該店舗において当該特定取引用価値を照合するための照合情報（照合用データ）とが対応付けて記憶された携帯端末装置（携帯電話機５）において実行され、該携帯端末装置に記憶されている特定取引用価値を前記特定取引に使用するためのアプリケーションプログラム（ＪＧアプリ）であって、該携帯端末装置に記憶されている照合情報（照合用データ）を含む照合要求を、前記特定取引を行うために前記店舗に設置された特定取引装置（カードユニット３）に送信する照合要求送信ステップ（Ｓ２０）と、該照合要求送信ステップにて送信した照合要求に対して前記特定取引装置から受信した照合結果が正規（照合ＯＫ）であることに応じて該特定取引装置における特定取引に使用される特定取引用価値の大きさを該携帯端末装置に記憶されている特定取引用価値の大きさから減算する減算ステップ（Ｓ６＋）と、前記特定取引用価値を使用する使用店舗の指定を受付ける使用店舗受付けステップ（Ｓｎ１６＋）と、該携帯端末装置に記憶されている照合情報を該受付けた使用店舗の照合情報に更新する更新ステップ（Ｓｎ１７＋）と、を含む。
【０２６７】
本発明の請求項１４は、各店舗（遊技場）の照合情報（照合用データ）を含む店舗情報（遊技場情報）を管理する店舗情報管理装置（管理サーバ１４）から前記特定取引用価値（残存金額）を使用可能な店舗の一覧情報を取得する一覧情報取得ステップ（Ｓｎ２２）と、該取得した一覧情報に含まれる店舗のうちから、前記使用店舗受付けステップ（Ｓｎ１６＋）において利用者から指定を受付けた前記使用店舗の照合情報を前記店舗情報管理装置から取得する利用店舗照合情報取得ステップ（Ｓｎ１７＋）と、を含み、前記更新ステップ（Ｓｎ１７＋）においては、前記利用店舗照合情報取得ステップにて取得した照合情報に更新する。
【０２６８】
本発明の請求項１５は、各店舗（遊技場）の照合情報（照合用データ）を含む店舗情報（遊技場情報）を管理する店舗情報管理装置（管理サーバ１４）から前記特定取引用価値（残存金額）を使用可能な店舗の照合情報を含む一覧情報を取得する一覧情報取得ステップ（Ｓｎ２２＋＋）を含み、前記使用店舗受付けステップ（Ｓｎ１６＋）においては、該取得した一覧情報に含まれる店舗のうちから前記使用店舗の指定を利用者から受付け、前記更新ステップ（Ｓｎ１７＋）においては、前記一覧情報取得処理にて取得した一覧情報取に含まれる該指定を受付けた店舗の照合情報に更新する。
【０２６９】
本発明の請求項１６は、各携帯端末装置（携帯電話機５）に固有に付与された携帯端末識別情報（端末ＩＤ）に対応付けて、当該携帯端末識別情報の携帯端末装置において対応付けて記憶されている特定取引用価値の大きさ（残存金額）および照合情報（照合用データ）に対応する店舗を個々に識別可能な店舗識別情報（遊技場ＩＤ）を管理するとともに、各店舗に設置されて当該店舗において使用可能な特定取引用価値の大きさを該特定取引用価値の大きさが記憶された携帯端末装置の携帯端末識別情報に対応付けて管理する店舗内管理装置（システムコントローラ１１０）に対して、前記携帯端末識別情報並びに前記更新ステップ（Ｓｎ１７＋）後の新たな特定取引用価値の大きさを含む更新情報を送信する中央管理装置（管理サーバ１４）に対し、該携帯端末装置に記憶されている携帯端末識別情報と、前記更新ステップにおいて照合情報が更新された前記使用店舗受付けステップにて受付けた使用店舗の店舗識別情報（変更先の遊技場ＩＤ）とを少なくとも含む更新通知を送信する更新通知送信ステップ（Ｓｎ１８＋）を含む。
【０２７０】
本発明の請求項１７は、複数の店舗（遊技場）について、各店舗を個々に識別可能な店舗識別情報（遊技場ＩＤ）に対応付けて、当該店舗における予め定められた特定取引（パチンコ玉の貸出；玉貸）に使用可能な特定取引用価値の大きさ（残存金額）を記憶するための特定取引用価値記憶部（メモリ１０４）と、該携帯端末装置（携帯電話機５）に固有に付与された携帯端末識別情報（端末ＩＤ）を記憶するための携帯端末識別情報記憶部（メモリ部６０）とを備える携帯端末装置と、各店舗に設置されて当該店舗において使用可能な特定取引用価値の大きさを該特定取引用価値の大きさが記憶された携帯端末装置の携帯端末識別情報に対応付けて管理する店舗内管理装置（システムコントローラ１１０）と、前記店舗内管理装置並びに前記携帯端末装置とデータ通信可能とされ、前記携帯端末識別情報に対応付けて、当該携帯端末識別情報の携帯端末装置において対応付けて記憶されている店舗識別情報および特定取引用価値の大きさを管理する中央管理装置（管理サーバ１４）と、から成る特定取引用システム（遊技用システム）であって、前記携帯端末装置は、前記特定取引を行うために各店舗に設置された特定取引装置から当該特定取引装置が設置されている店舗の店舗識別情報を取得する店舗識別情報取得処理（Ｓ１；要求受付け処理）と、少なくとも該店舗識別情報を取得したことに応じて該特定取引装置における特定取引に使用される特定取引用価値の大きさを前記取得した店舗識別情報に対応付けて前記特定取引用価値記憶部に記憶されている特定取引用価値の大きさから減算する減算処理（Ｓ６）と、前記特定取引用価値記憶部に記憶されている複数の店舗識別情報のうちの１の店舗識別情報（移動元の遊技場ＩＤ）に対応付けて記憶されている特定取引用価値の大きさの範囲内の所定の大きさ（全額）の特定取引用価値を減算するとともに、該所定の大きさの特定取引用価値を、他の店舗識別情報（移動先の遊技場ＩＤ）に対応付けて前記特定取引用価値記憶部に記憶されている特定取引用価値の大きさに加算する特定取引用価値移動処理（Ｓｎ１７）と、該特定取引用価値移動処理における他の店舗識別情報と前記携帯端末識別情報記憶部に記憶されている携帯端末識別情報とを少なくとも含む移動通知を前記中央管理装置に対して送信する移動通知送信処理（Ｓｎ１８）と、をアプリケーションプログラム（ＪＧアプリ）に基づいて実行するプログラム実行部（制御部５５）と、を備え、前記中央管理装置は、前記移動通知の受信に基づいて、受信した移動通知に含まれる携帯端末識別情報に対応付けて管理している前記１の店舗識別情報に対応する特定取引用価値の大きさから前記所定の大きさの特定取引用価値を減算する一方、該所定の大きさの特定取引用価値を受信した移動通知に含まれる携帯端末識別情報並びに店舗識別情報に対応付けて管理している特定取引用価値の大きさに加算するともに、前記１の店舗識別情報の店舗に設置されている前記店舗内管理装置に対して、前記減算後の新たな特定取引用価値の大きさと該携帯端末識別情報とを含む更新情報を送信し、前記他の店舗識別情報の店舗に設置されている前記店舗内管理装置に対して、前記加算後の新たな特定取引用価値の大きさと該携帯端末識別情報とを含む更新情報を送信し、前記店舗内管理装置は、前記更新情報の受信に基づいて、受信した更新情報に含まれる携帯端末識別情報に対応付けて管理している特定取引用価値の大きさを、当該受信した更新情報に含まれる特定取引用価値の大きさに更新する。
【０２７１】
本発明の請求項１８は、店舗（遊技場）における予め定められた特定取引（パチンコ玉の貸出；玉貸）に使用可能な特定取引用価値の大きさ（残存金額）と、該店舗において当該特定取引用価値を照合するための照合情報（照合用データ）とを対応付けて記憶するための特定取引用価値記憶部（メモリ１０４）と、該携帯端末装置（携帯電話機５）に固有に付与された携帯端末識別情報（端末ＩＤ）を記憶するための携帯端末識別情報記憶部（メモリ部６０）とを備える携帯端末装置と、各店舗に設置されて当該店舗において使用可能な特定取引用価値の大きさを該特定取引用価値の大きさが記憶された携帯端末装置の携帯端末識別情報に対応付けて管理する店舗内管理装置（システムコントローラ１１０）と、前記店舗内管理装置並びに前記携帯端末装置とデータ通信可能とされ、前記携帯端末識別情報に対応付けて、当該携帯端末識別情報の携帯端末装置において対応付けて記憶されている特定取引用価値の大きさおよび照合情報に対応する店舗を個々に識別可能な店舗識別情報を管理する中央管理装置（管理サーバ１４）と、から成る特定取引用システム（遊技用システム）であって、前記特定取引用価値記憶部に記憶されている照合情報を含む照合要求を、前記特定取引を行うために前記店舗に設置された特定取引装置（カードユニット３）に送信する照合要求送信処理（Ｓ２０）と、該送信した照合要求に対して前記特定取引装置から受信した照合結果が正規（照合ＯＫ）であることに応じて該特定取引装置における特定取引に使用される特定取引用価値の大きさを前記特定取引用価値記憶部に記憶されている特定取引用価値の大きさから減算する減算処理（Ｓ６＋）と、前記特定取引用価値を使用する使用店舗の指定を受付ける使用店舗受付け処理（Ｓｎ１６＋）と、前記特定取引用価値記憶部に記憶されている照合情報を該受付けた使用店舗の照合情報に更新する更新処理（Ｓｎ１７＋）と、該更新処理において照合情報が更新された前記使用店舗受付け処理にて受付けた使用店舗の店舗識別情報（変更先の遊技場ＩＤ）と前記携帯端末識別情報記憶部に記憶されている携帯端末識別情報とを少なくとも含む更新通知を前記中央管理装置に対して送信する更新通知送信処理（Ｓｎ１８＋）と、をアプリケーションプログラム（ＪＧアプリ）に基づいて実行するプログラム実行部（制御部５５）と、を備え、前記中央管理装置は、前記更新通知の受信に基づいて、受信した更新通知に含まれる携帯端末識別情報および特定取引用価値の大きさに対応付けて管理している店舗識別情報を受信した更新通知に含まれる店舗識別情報に更新するともに、更新前の店舗識別情報の店舗に設置されている前記店舗内管理装置に対して、受信した更新通知に含まれる携帯端末識別情報と特定取引用価値の消去指示とを含む更新情報を送信し、更新後の店舗識別情報の店舗に設置されている前記店舗内管理装置に対して、受信した更新通知に含まれる携帯端末識別情報と特定取引用価値の大きさとを含む更新情報を送信し、前記更新前の店舗識別情報の店舗に設置されている店舗内管理装置は、受信した更新情報に含まれる携帯端末識別情報に対応付けて管理している特定取引用価値の大きさを消去し、前記更新後の店舗識別情報の店舗に設置されている店舗内管理装置は、受信した更新情報に含まれる携帯端末識別情報に対応付けて管理している特定取引用価値の大きさを、当該受信した更新情報に含まれる特定取引用価値の大きさに更新する。
【図面の簡単な説明】
【０２７２】
【図１】本発明の実施例１における遊技用システムの構成を示すシステムブロック図である。
【図２】本発明の実施例１における携帯電話機の構成を示すブロック図である。
【図３】本発明の実施例１における携帯電話機に使用された非接触ＩＣチップにおけるメモリ領域の構成を示す図である。
【図４】本発明の実施例１において用いたカードユニットとパチンコ機を示す正面図である。
【図５】本発明の実施例１において用いたカードユニットの構成を示すブロック図である。
【図６】本発明の実施例１において用いたシステムコントローラの構成を示すブロック図である。
【図７】本発明の実施例１において用いた残存金額管理テーブルを示す図である。
【図８】本発明の実施例１において用いた管理サーバの構成を示すブロック図である。
【図９】（ａ）は、本発明の実施例１において用いた      別残存金額管理テーブルを示す図であり、（ｂ）は、遊技場情報テーブルを示す図である。
【図１０】本発明の実施例１において用いた携帯電話機におけるアプリケーションのダウンロードに関する処理状況を示す図である。
【図１１】（ａ）〜（ｈ）は、本発明の実施例１において用いた携帯電話機のアプリケーションのダウンロード時における表示内容を示す図である。
【図１２】（ａ）〜（ｆ）は、本発明の実施例１において用いたアプリケーションの起動時における携帯電話機の表示内容を示す図である。
【図１３】（ａ）〜（ｈ）は、本発明の実施例１において用いたアプリケーションの起動時における携帯電話機の表示内容を示す図である。
【図１４】本発明の実施例１において用いた携帯電話機におけるアプリケーションに基づく内部起動処理の処理内容を示すフロー図である。
【図１５】本発明の実施例１において用いた携帯電話機におけるアプリケーションに基づく外部起動処理の処理内容を示すフロー図である。
【図１６】本発明の実施例１における遊技用システムにおける処理状況を示す説明図である。
【図１７】本発明の実施例１における遊技用システムにおける処理状況を示す説明図である。
【図１８】本発明の実施例２における携帯電話機に使用された非接触ＩＣチップにおけるメモリ領域の構成を示す図である。
【図１９】（ａ）は、本発明の実施例２において用いた      別残存金額管理テーブルを示す図であり、（ｂ）は、遊技場情報テーブルを示す図である。
【図２０】本発明の実施例２において用いた携帯電話機におけるアプリケーションに基づく内部起動処理の処理内容を示すフロー図である。
【図２１】本発明の実施例２において用いた携帯電話機におけるアプリケーションに基づく外部起動処理の処理内容を示すフロー図である。
【図２２】本発明の実施例２における遊技用システムにおける処理状況を示す説明図である。
【図２３】本発明の実施例２における遊技用システムにおける処理状況を示す説明図である。
【図２４】その他の実施形態を示す図である。
【符号の説明】
【０２７３】
３      カードユニット
５      携帯電話機
１４    管理サーバ
１５    サーバコンピュータ
１６    サーバコンピュータ
１７    サーバコンピュータ
５５    制御部
５６    表示部
６０    メモリ部
１００  非接触ＩＣチップ
１０４  メモリ
１１０  システムコントローラ
３２８  制御ユニット
３３０  外部カードリーダライタ
３３２  近距離通信部
【図１】
2006204812.tif 000003
【図２】
2006204812.tif 000004
【図３】
2006204812.tif 000005
【図４】
2006204812.tif 000006
【図５】
2006204812.tif 000007
【図６】
2006204812.tif 000008
【図７】
2006204812.tif 000009
【図８】
2006204812.tif 000010
【図９】
2006204812.tif 000011
【図１０】
2006204812.tif 000012
【図１１】
2006204812.tif 000013
【図１２】
2006204812.tif 000014
【図１３】
2006204812.tif 000015
【図１４】
2006204812.tif 000016
【図１５】
2006204812.tif 000017
【図１６】
2006204812.tif 000018
【図１７】
2006204812.tif 000019
【図１８】
2006204812.tif 000020
【図１９】
2006204812.tif 000021
【図２０】
2006204812.tif 000022
【図２１】
2006204812.tif 000023
【図２２】
2006204812.tif 000024
【図２３】
2006204812.tif 000025
【図２４】
2006204812.tif 000026